(57)【要約】  【課題】  本発明は、同一のコンテンツより成る複数の信号によって補填可能な通信システムを提供することを目的とする。  【解決手段】  放送局１００において、１つのコンテンツより得られるデータの組合せを異なるものとした複数の高周波信号が生成され、この複数の高周波信号が複数のアンテナ１１０より送信される。そして、受信装置１０１において、この複数の高周波信号が受信されると、受信した複数の高周波信号によって補填して再生出力を行う。【選択図】      図１
2005252919.tif 000002
【特許請求の範囲】
【請求項１】
不特定多数の受信装置に高周波信号を送信する送信装置を備える通信システムにおいて、
前記送信装置が、
同一のコンテンツを構成する各データが異なる順番に組み替えられた複数のデータ群を生成し、
生成された複数のデータ群それぞれを変調することで生成した複数の高周波信号を送信することを特徴とする通信システム。
【請求項２】
不特定多数の受信装置に高周波信号を送信する送信装置を備える通信システムにおいて、
前記送信装置からの高周波信号を受信するとともに、受信した高周波信号を再び送信する中継器を備え、
該中継器が、
前記送信装置から送信される前記高周波信号を復調して得られるデータ群の順番を組み替えて、該データ群の順番がそれぞれ異なる新たなデータ群を複数生成し、
生成された複数のデータ群それぞれを変調することで生成した複数の高周波信号を送信し、
前記放送局及び前記中継器より、前記データ群を構成するデータの順番が異なる複数の高周波信号が送信されることを特徴とする通信システム。
【請求項３】
前記中継器が、前記高周波信号を正常に受信できなかったとき、受信できなかった部分の前記データ群の再送要求を前記送信装置に行うとともに、
前記中継器からの再送要求を受信した前記送信装置が、再送要求された部分の前記データ群を再送することを特徴とする請求項２に記載の通信システム。
【請求項４】
前記送信装置から再送する前記データ群が、前記高周波信号に追加されて送信されることを特徴とする請求項３に記載の通信システム。
【請求項５】
前記複数の高周波信号それぞれが異なる通信媒体を介して送信されることを特徴とする請求項１〜請求項４のいずれかに記載の通信システム。
【請求項６】
前記複数の高周波信号が無線通信媒体を介して送信されるとともに、それぞれ異なるチャンネル周波数を用いて送信されることを特徴とする請求項１〜請求項４のいずれかに記載の通信システム。
【請求項７】
前記複数の高周波信号それぞれが時分割されて、同一のチャンネル周波数を用いて送信されることを特徴とする請求項１〜請求項４のいずれかに記載の通信システム。
【請求項８】
前記複数のデータ群それぞれを構成するデータが、異なる符号化方式によって符号化されたデータであることを特徴とする請求項１〜請求項７のいずれかに記載の通信システム。
【請求項９】
前記複数の高周波信号を受信する受信装置を備え、
該受信装置が、
前記複数の高周波信号を復調して得られた前記複数のデータ群の１つを基準データ群とし、
当該基準データ群を構成するデータに異常が確認されたとき、該基準データ群以外の前記データ群より、異常が確認されたデータと同一部分となるデータを選択して、該異常が確認されたデータを補填することを特徴とする請求項１〜請求項８のいずれかに記載の通信システム。
【請求項１０】
前記複数の高周波信号それぞれを受信するとともに他の受信装置と通信を行う複数の受信装置を備え、
該複数の受信装置それぞれが、
受信した前記高周波信号を復調して得られた前記データ群を基準データ群とし、
該基準データ群を前記他の受信装置に送信するとともに、
前記他の受信装置で受信された前記他の受信装置における基準データ群を受信し、
自機器の前記基準データ群を構成するデータに異常が確認されたとき、前記他の受信装置における前記基準データ群より、異常が確認されたデータと同一部分となるデータを選択して、該異常が確認されたデータを補填することを特徴とする請求項１〜請求項８のいずれかに記載の通信システム。
【請求項１１】
前記データ群がデータパケットにより構成され、前記受信装置において前記データパケット毎に前記基準データ群が補填されることを特徴とする請求項９又は請求項１０に記載の通信システム。
【請求項１２】
複数の前記データパケットを基準単位として、当該基準単位毎に前記基準データ群が構成されるとともに、当該基準単位毎に前記基準データ群が補填されることを特徴とする請求項１１に記載の通信システム。
【請求項１３】
前記基準データ群が前記コンテンツのフレーム毎に補填されることを特徴とする請求項９又は請求項１０に記載の通信システム。
【請求項１４】
前記基準データ群が前記コンテンツのフレームを構成するブロック毎に補填されることを特徴とする請求項９又は請求項１０に記載の通信システム。
【請求項１５】
前記複数の受信装置が、前記同一のコンテンツより成る前記複数の高周波信号が送信されているか否かを判定することを特徴とする請求項９〜請求項１４のいずれかに記載の通信システム。
【請求項１６】
前記同一のコンテンツより成る前記複数の高周波信号の少なくとも１つに、補填可能な他の高周波信号に関する情報が付加されることを特徴とする請求項１５に記載の通信システム。
【請求項１７】
前記高周波信号が送信される通信媒体と異なる媒体によって、補填可能な他の高周波信号に関する情報が前記受信装置に与えられることを特徴とする請求項１６に記載の通信システム。
【請求項１８】
前記高周波信号それぞれに対して、前記受信装置側における受信の可否を決定する受信権が設定されることを特徴とする請求項９〜請求項１７のいずれかに記載の通信システム。
【請求項１９】
前記高周波信号それぞれに対して課金されるとともに、当該課金により前記受信装置側における受信の可否を決定する受信権が設定されることを特徴とする請求項１８に記載の通信システム。
【請求項２０】
前記高周波信号それぞれが暗号化されるとともに、当該暗号化を解除するための暗号化解除コードの配布により前記受信装置側における受信の可否を決定する受信権が設定されることを特徴とする請求項１８又は請求項１９に記載の通信システム。
【請求項２１】
前記受信装置で補填動作が行われるたびに、当該補填動作に使用された高周波信号に対して課金されることを特徴とする請求項９〜請求項１７のいずれかに記載の通信システム。
【請求項２２】
前記受信装置において、受信している前記高周波信号と同一のコンテンツを含む他の前記高周波信号を検索することを特徴とする請求項９〜請求項２１のいずれかに記載の通信システム。
【請求項２３】
検索した前記他の高周波信号のうち、その通信状態が最も良い高周波信号を、受信している前記高周波信号を補填するための高周波信号として選択することを特徴とする請求項２２に記載の通信システム。
【請求項２４】
前記送信装置が、前記高周波信号が送信される通信媒体の帯域の大きさに応じて送信する前記高周波信号の数を設定することを特徴とする請求項１〜請求項２３のいずれかに記載の通信システム。
【請求項２５】
前記高周波信号の少なくとも１つが、送信される通信媒体の帯域の大きさに応じて、データ量が切り換えられることを特徴とする請求項１〜請求項２３のいずれかに記載の通信システム。
【請求項２６】
前記通信媒体の帯域が狭くなるとき、主要となるデータ群以外のデータ群を省くことによってデータ量が切り換えられることを特徴とする請求項２５に記載の通信システム。
【請求項２７】
データ群の符号化方式としてＭＰＥＧ方式を使用しているとき、前記通信媒体の帯域が狭くなると、Ｉピクチャ以外のデータの少なくとも一部を削除することで、前記通信媒体の帯域未満のデータとなるよう構成された前記高周波信号が送信されることを特徴とする請求項２５に記載の通信システム。
【請求項２８】
データ群の符号化方式としてＭＰＥＧ方式を使用しているとき、前記通信媒体の帯域が狭くなると、Ｉピクチャとなる前記データ群のみによる前記高周波信号が送信されることを特徴とする請求項２５に記載の通信システム。
【請求項２９】
前記送信装置が、
前記複数の高周波信号それぞれを生成する複数の信号生成部を備え、
前記複数の高周波信号のうちの一部を送信するとともに、送信されない前記高周波信号を生成する前記信号生成部を電源ＯＦＦとすることを特徴とする請求項１〜請求項２８のいずれかに記載の通信システム。
【請求項３０】
前記受信装置が、
前記複数の高周波信号それぞれを受信して復号化する複数の信号処理部を備え、
前記送信装置から送信される前記高周波信号の数に応じた数の前記信号処理部によって受信動作を行うとともに、残りの前記信号処理部を電源ＯＦＦとすることを特徴とする請求項１〜請求項２９のいずれかに記載の通信システム。
【請求項３１】
前記複数の高周波信号のうちの少なくとも１つが、前記受信装置において単独で再生可能な高周波信号であることを特徴とする請求項１〜請求項３０のいずれかに記載の通信システム。
【請求項３２】
前記複数の高周波信号それぞれが前記送信装置から送信される場所が異なることを特徴とする請求項１〜請求項３１のいずれかに記載の通信システム。
【請求項３３】
前記受信装置において、前記複数の高周波信号それぞれ受信するアンテナそれぞれが異なる指向性を有することを特徴とする請求項３２に記載の通信システム。
【請求項３４】
高周波信号を送信する送信装置と、該送信装置からの前記高周波信号を受信する受信装置と、を備える通信システムにおいて、
前記送信装置より送信される前記高周波信号より得られるコンテンツと同一のコンテンツ全て又は一部に基づいて生成されるデータが記録された記録媒体を備え、
前記送信装置が、
コンテンツを構成する各データより成るデータ群を生成した後、
生成された該データ群を変調することで前記高周波信号を生成して送信し、
前記受信装置が、
前記高周波信号を受信するとともに前記記録媒体を再生し、
受信した前記送信装置からの前記高周波信号を復調して得られた前記複数のデータ群を基準データ群とし、
当該基準データ群を構成するデータに異常が確認されたとき、前記記録媒体から異常が確認されたデータと同一部分となるデータを読み出して、該異常が確認されたデータを補填することを特徴とする通信システム。
【請求項３５】
前記高周波信号による前記データ群を構成するデータと、前記記録媒体に記録されたデータとが、異なる符号化方式によって符号化されたデータであることを特徴とする請求項３４に記載の通信システム。
【請求項３６】
同一のコンテンツを構成する各データが異なる順番に組み替えられた複数のデータ群を生成する第１ステップと、
生成された複数のデータ群それぞれを変調することで生成した複数の高周波信号を送信する第２ステップと、
有することを特徴とする送信方法。
【請求項３７】
前記複数のデータ群それぞれを構成するデータが、異なる符号化方式によって符号化されたデータであることを特徴とする請求項３６に記載の送信方法。
【請求項３８】
前記複数の高周波信号それぞれが異なる通信媒体を介して送信されることを特徴とする請求項３６又は請求項３７に記載の送信方法。
【請求項３９】
前記複数の高周波信号が無線通信媒体を介して送信されるとともに、それぞれ異なるチャンネル周波数を用いて送信されることを特徴とする請求項３６又は請求項３７に記載の送信方法。
【請求項４０】
前記複数の高周波信号のうちの１つを基準高周波信号として、常に１つのチャンネル周波数を確保するとともに、
当該基準高周波信号以外の高周波信号については、使用可能であるチャンネル周波数の存否を確認して、使用可能なチャンネル周波数を確認したときに、該使用可能なチャンネル周波数を用いて送信することを特徴とする請求項３９に記載の送信方法。
【請求項４１】
前記複数の高周波信号それぞれが時分割されて、同一のチャンネル周波数を用いて送信されることを特徴とする請求項３６又は請求項３７に記載の送信方法。
【請求項４２】
前記複数の高周波信号のうちの１つを基準高周波信号として、前記チャンネル周波数内の帯域を確保するとともに、
当該基準高周波信号以外の高周波信号については、前記チャンネル周波数内において使用可能な空き帯域の存否を確認して、使用可能な空き帯域を確認したときに、該使用可能な空き帯域を用いて送信することを特徴とする請求項４１に記載の送信方法。
【請求項４３】
前記複数の高周波信号を送信するとき、確認された前記使用可能なチャンネル周波数又は前記使用可能な空き帯域で送信可能なデータ量が前記基準高周波信号のデータ量よりも小さい場合は、前記第１ステップにおいて前記データ群が生成されるときに、前記使用可能なチャンネル周波数又は前記使用可能な空き帯域を用いて送信する前記高周波信号のデータ量が小さくなるように符号化することを特徴とする請求項４０又は請求項４２に記載の送信方法。
【請求項４４】
請求項９に記載の通信システムにおける受信装置であって、
前記複数の高周波信号を受信する受信部と、
該受信部で受信された前記複数の高周波信号を復調することで前記複数のデータ群を生成する復調部と、
該復調部で得られた前記複数のデータ群のうち前記基準データ群を格納する第１バッファと、
該復調部で得られた前記基準データ群以外のデータ群を格納する第２バッファと、
前記第１バッファから読み出した前記基準データ群の各データに対して異常の存否を確認し、異常の確認されたデータに対して当該データに対応したデータを前記第２バッファより読み出して補填する合成部と、
を有することを特徴とする受信装置。
【請求項４５】
請求項１０に記載の通信システムにおける受信装置であって、
前記高周波信号を受信する受信部と、
前記他の受信装置に対して信号を送受信する送受信部と、
該受信部で受信された前記高周波信号を復調することで前記基準データ群を生成する復調部と、
該復調部で得られた前記基準データ群を格納する第１バッファと、
該第１バッファに格納された前記基準データ群を変調して前記送受信部に与えるとともに、前記送受信部で受信された前記高周波信号を復調することで前記データ群を生成する変復調部と、
該変復調部で得られた前記データ群を格納する第２バッファと、
前記第１バッファから読み出した前記基準データ群の各データに対して異常の存否を確認し、異常の確認されたデータに対して当該データに対応したデータを前記第２バッファより読み出して補填する合成部と、
を有することを特徴とする受信装置。
【請求項４６】
請求項３４に記載の通信システムにおける受信装置であって、
前記高周波信号を受信する受信部と、
該受信部で受信された前記高周波信号を復調することで前記基準データ群を生成する復調部と、
該復調部で得られた前記基準データ群を格納する第１バッファと、
前記記録媒体から前記データ群の読み出しを行う記録媒体再生部と、
前記第１バッファから読み出した前記基準データ群の各データに対して異常の存否を確認し、異常の確認されたデータに対して当該データに対応したデータを前記記録媒体再生部によって前記記録媒体より読み出して補填する合成部と、
を有することを特徴とする受信装置。
【発明の詳細な説明】
【技術分野】
【０００１】
本発明は、時系列データや即時性を要するデータを物理的に不安定な通信媒体によりデータを送信する通信システム及び当該通信システムにおける送信方法及び受信装置に関するもので、特に、放送通信システムのように、１つの送信装置から複数の受信装置に送信する通信システム及び当該通信システムにおける送信方法及び受信装置に関する。
【背景技術】
【０００２】
近年、デジタル・アナログに問わず、高精細なＡＶデータの送信又は放送することが広く実施されている。このようなＡＶデータの送信及び放送として、電波を用いた無線通信方式が使用されるが、この無線通信方式では、物体などによる物理的な遮断や電波強度の急激な変化や他の電子機器より発生する妨害波などによる電波障害、又は、受信側及び送信側が移動することで生じる電波強度の急激な変化などによって、通信が乱れることがある。よって、このような通信の乱れによって、受信側で受信したＡＶデータを再生したとき、ＡＶデータは時系列に送受信されるとともに即時性を備えたデータであるため、その再生画像や再生音声に乱れが頻繁に発生することがある。
【０００３】
このＡＶデータのような時系列データや即時性を要するデータを利用した無線通信システムが、限られた台数による相互通信によって構築される場合、外乱で正常に受信できなかったデータの再送を行うことで、不足したデータを受信側で補うことができ、データ通信の安定化を図ることができる。しかしながら、信号受信する受信装置が複数ある場合においては、再送に使用する帯域が広くなって実際の通信に用いる帯域を狭めるため、通信システムを構築するための受信装置の台数に限りがあり、再送などによる安定化の実現は難しい。特に、不特定多数の受信装置にＡＶデータを放送信号として送信する場合においては、受信側を特定することも困難であるため、信号の再送による通信の安定化を図ることは更に困難である。
【０００４】
又、デジタル衛星放送などでは、誤り訂正符号化方式やインターリーブなどを用いることで、通信の安定化を図るようにしているが、数ｍｓｅｃ〜数十ｍｓｅｃ程度の連続したエラーが発生した場合、受信側において再生映像に乱れが発生してしまう。そのため、雷などが発生したときなどにおいて通信媒体の通信状態に影響が与えられると、受信側で再生される映像や音声に乱れが生じてしまう。
【０００５】
又、従来技術として、隣接する通信エリアへの干渉を抑制するように動作電力を押さえるために、無線通信によって送受信する信号を遅延させる無線ローカル無線リンク通信装置が提案されている（特許文献１参照）。この通信装置においては、１つの通信エリア内において通信接続した通信装置間で信号の送受信を行う際に、ベースユニットが送信側となると、同一の信号に時間差を与えて異なる複数の経路より送信し、受信側となる受話器において複数の経路より受信した時間差のある信号を合成することで、受信エネルギーを増強する。
【特許文献１】特開平８−７９８３７号公報
【発明の開示】
【発明が解決しようとする課題】
【０００６】
しかしながら、特許文献１による通信装置では、変調後の高周波信号を遅延させて送信させているため、受信側では、マルチパスにより遅延された高周波信号を受信する場合と同様の信号を受信することとなる。よって、このように遅延されて送信される複数の高周波信号それぞれを合成させる場合、マルチパスにより相互に影響された複数の高周波信号を復元するときと同様の処理を行う必要があり、その処理が煩雑であるとともに、それぞれの信号を完全に復元するのが困難である。
【０００７】
又、上述したように、正常に受信できなかったデータを再送して合成することで画像乱れを防ぐ通信方法においても、データの再送を行うための帯域確保を各受信装置毎に行う必要があるため、このようなデータ通信を行う通信システムを構築する受信装置の数が制限されてしまう。そのため、不特定多数の受信装置との通信を行う放送通信システムにおいては、この再送動作を行う通信方法を使用するこが不可能である。
【０００８】
このような問題を鑑みて、本発明は、同一のコンテンツより成る複数の信号によって補填可能な通信システム及び該通信システムにおける送信方法及び受信装置を提供することを目的とする。
【課題を解決するための手段】
【０００９】
上記目的を達成するために、本発明の通信システムは、不特定多数の受信装置に高周波信号を送信する送信装置を備える通信システムにおいて、前記送信装置が、同一のコンテンツを構成する各データが異なる順番に組み替えられた複数のデータ群を生成し、生成された複数のデータ群それぞれを変調することで生成した複数の高周波信号を送信することを特徴とする。
【００１０】
又、本発明の通信システムは、不特定多数の受信装置に高周波信号を送信する送信装置を備える通信システムにおいて、前記送信装置からの高周波信号を受信するとともに、受信した高周波信号を再び送信する中継器を備え、該中継器が、前記送信装置からの送信される前記高周波信号を復調して得られるデータ群の順番を組み替えて、該データ群の順番がそれぞれ異なる新たなデータ群を複数生成し、生成された複数のデータ群それぞれを変調することで生成した複数の高周波信号を送信し、前記放送局及び前記中継器より、前記データ群を構成するデータの順番が異なる複数の高周波信号が送信されることを特徴とする。
【００１１】
このような通信システムにおいて、前記中継器が、前記高周波信号を正常に受信できなかったとき、受信できなかった部分の前記データ群の再送要求を前記送信装置に行うとともに、前記中継器からの再送要求を受信した前記送信装置が、再送要求された部分の前記データ群を前記中継器に送信するものとしても構わない。更に、前記送信装置から再送する前記データ群が、前記高周波信号に追加されて送信されるものとしても構わない。
【００１２】
又、これらの通信システムにおいて、前記複数のデータ群が、前記コンテンツのデータの生成された順に従ったデータ群を含むとともに、該データ群の各データの時系列的な位置を入れ替えることによって異なる前記データ群が生成されるものとしても構わない。このとき、更に、所定のデータ数毎にデータの入れ替えを行うものとしても構わない。又、前記複数のデータ群が、前記コンテンツのデータの生成された順に従ったデータ群を含むとともに、所定のデータ数分遅延させることによって異なる前記データ群が生成されるものとしても構わない。又、このとき、更に前記データ群の各データの時系列的な位置を入れ替えるものとしても構わない。
【００１３】
又、上述のような通信システムにおいて、前記複数の高周波信号それぞれが異なる通信媒体を介して送信されるものとしても構わないし、前記複数の高周波信号が無線通信媒体を介して送信されるとともに、それぞれ異なるチャンネル周波数を用いて送信されるものとしても構わないし、前記複数の高周波信号それぞれが時分割されて、同一のチャンネル周波数を用いて送信されるものとしても構わない。
【００１４】
更に、上述のような通信システムにおいて、前記複数のデータ群それぞれを構成するデータが、異なる符号化方式によって符号化されたデータであるものとしても構わない。このとき、前記データ群の各データが異なる画素数のフレームに応じたデータによるものとすることで、前記符号化方式を異なるものとしても構わない。又、前記データ群を生成する際に圧縮符号化方式を使用し、使用する圧縮符号化方式又は圧縮率が異なるものとしても構わない。
【００１５】
又、複数の前記データ群が、符号化されたデータの一部によって構成されるものとし、全ての前記データ群のデータを補填することによって１つのコンテンツのデータが生成されるものとしても構わない。更に、圧縮符号化方式としてＭＰＥＧ方式が使用されるとともに、複数の前記データ群の内の１つを基準データ群とするとき、該基準データ群が前記ＭＰＥＧ方式によって符号化された全てのデータによりなるものとするとともに、前記基準データ群以外のデータ群がＩピクチャを示すデータにのみ成るものとしても構わない。
【００１６】
又、本発明の通信システムは、上述の各通信システムにおいて、前記複数の高周波信号を受信する受信装置を備え、該受信装置が、前記複数の高周波信号を復調して得られた前記複数のデータ群の１つを基準データ群とし、当該基準データ群を構成するデータに異常が確認されたとき、該基準データ群以外の前記データ群より、異常が確認されたデータと同一部分となるデータを選択して、該異常が確認されたデータを補填することを特徴とする。
【００１７】
又、本発明の通信システムは、上述の各通信システムにおいて、前記複数の高周波信号それぞれを受信するとともに他の受信装置と通信を行う複数の受信装置を備え、該複数の受信装置それぞれが、受信した前記高周波信号を復調して得られた前記データ群を基準データ群とし、該基準データ群を前記他の受信装置に送信するとともに、前記他の受信装置で受信された前記他の受信装置における基準データ群を受信し、自機器の前記基準データ群を構成するデータに異常が確認されたとき、前記他の受信装置における前記基準データ群より、異常が確認されたデータと同一部分となるデータを選択して、該異常が確認されたデータを補填することを特徴とする。
【００１８】
これらの通信システムにおいて、前記データ群がデータパケットにより構成され、前記受信装置において前記データパケット毎に前記基準データ群が補填されるものとしても構わない。このとき、更に、複数の前記データパケットを基準単位として、当該基準単位毎に前記基準データ群が構成されるとともに、当該基準単位毎に前記基準データ群が補填されるものとしても構わない。又、前記基準データ群が前記コンテンツのフレーム毎に補填されるものとしても構わないし、前記基準データ群が前記コンテンツのフレームを構成するブロック毎に補填されるものとしても構わない。
【００１９】
又、このような通信システムにおいて、前記複数の受信装置が、前記同一のコンテンツより成る前記複数の高周波信号が送信されているか否かを判定するものとしても構わない。そして、前記同一のコンテンツより成る前記複数の高周波信号の少なくとも１つに、補填可能な他の高周波信号に関する情報が付加されるものとし、更に、前記高周波信号が送信される通信媒体と異なる媒体によって、補填可能な他の高周波信号に関する情報が前記受信装置に与えられるものとしても構わない。
【００２０】
又、このような通信システムにおいて、前記高周波信号それぞれに対して、前記受信装置側における受信の可否を決定する受信権が設定されるものとしても構わない。更に、前記高周波信号それぞれに対して課金されるとともに、当該課金により前記受信装置側における受信の可否を決定する受信権が設定されるものとしても構わないし、前記高周波信号それぞれが暗号化されるとともに、当該暗号化を解除するための暗号化解除コードの配布により前記受信装置側における受信の可否を決定する受信権が設定されるものとしても構わない。又、前記受信装置で補填動作が行われるたびに、当該補填動作に使用された高周波信号に対して課金されるものとしても構わない。
【００２１】
又、上述の通信システムにおいて、前記受信装置において、受信している前記高周波信号と同一のコンテンツを含む他の前記高周波信号を検索し、更に、検索した前記他の高周波信号のうち、その通信状態が最も良い高周波信号を、受信している前記高周波信号を補填するための高周波信号として選択する。
【００２２】
又、上述の通信システムにおいて、前記高周波信号の少なくとも１つが、送信される通信媒体の帯域の大きさに応じて、データ量が切り換えられるものとしても構わない。このとき、更に、前記通信媒体の帯域が狭くなるとき、主要となるデータ群以外のデータ群を省くことによってデータ量が切り換えられるものとしても構わないし、又、データ群の符号化方式としてＭＰＥＧ方式を使用しているとき、前記通信媒体の帯域が狭くなると、Ｉピクチャとなる前記データ群のみによる前記高周波信号が送信されるものとしても構わない。
【００２３】
又、本発明の通信システムは、高周波信号を送信する送信装置と、該送信装置からの前記高周波信号を受信する受信装置と、を備える通信システムにおいて、前記送信装置より送信される前記高周波信号より得られるコンテンツと同一のコンテンツ全て又は一部に基づいて生成されるデータが記録された記録媒体を備え、前記送信装置が、コンテンツを構成する各データより成るデータ群を生成した後、生成された該データ群を変調することで前記高周波信号を生成して送信し、前記受信装置が、前記高周波信号を受信するとともに前記記録媒体を再生し、受信した前記送信装置からの前記高周波信号を復調して得られた前記複数のデータ群を基準データ群とし、当該基準データ群を構成するデータに異常が確認されたとき、前記記録媒体から異常が確認されたデータと同一部分となるデータを読み出して、該異常が確認されたデータを補填することを特徴とする。
【００２４】
このような通信システムにおいて、前記高周波信号による前記データ群を構成するデータと、前記記録媒体に記録されたデータとが、異なる符号化方式によって符号化されたデータであるものとしても構わない。このとき、前記高周波信号による前記データ群と前記記録媒体に格納された前記データ群とが、符号化されたデータの一部によって構成されるものとし、両方の前記データ群のデータを補填することによって１つのコンテンツのデータが生成されるものとしても構わない。
【００２５】
又、前記高周波信号が暗号化されるとともに、前記記録媒体に前記高周波信号の暗号化解除をするための暗号化解除コードをを備えるものとして、前記記録媒体の暗号化解除コードによって前記高周波信号が暗号化されるものとしても構わない。更に、前記高周波信号に人工的にエラーが与えられ、前記記録媒体から読み出されたデータにより補填されることで前記コンテンツが視聴可能となるものとしても構わない。
【００２６】
又、本発明の通信方法は、同一のコンテンツを構成する各データが異なる順番に組み替えられた複数のデータ群を生成する第１ステップと、生成された複数のデータ群それぞれを変調することで生成した複数の高周波信号を送信する第２ステップと、有することを特徴とする。
【００２７】
このような送信方法において、前記複数のデータ群それぞれを構成するデータが、異なる符号化方式によって符号化されたデータとしても構わない。
【００２８】
又、前記複数の高周波信号それぞれが異なる通信媒体を介して送信されるものとしても構わない。
【００２９】
又、前記複数の高周波信号が無線通信媒体を介して送信されるとともに、それぞれ異なるチャンネル周波数を用いて送信されるものとしても構わない。このとき、更に、前記複数の高周波信号のうちの１つを基準高周波信号として、常に１つのチャンネル周波数を確保するとともに、当該基準高周波信号以外の高周波信号については、使用可能であるチャンネル周波数の存否を確認して、使用可能なチャンネル周波数を確認したときに、該使用可能なチャンネル周波数を用いて送信するものとしても構わない。
【００３０】
又、前記複数の高周波信号それぞれが時分割されて、同一のチャンネル周波数を用いて送信されるものとしても構わない。このとき、更に、前記複数の高周波信号のうちの１つを基準高周波信号として、前記チャンネル周波数内の帯域を確保するとともに、当該基準高周波信号以外の高周波信号については、前記チャンネル周波数内において使用可能な空き帯域の存否を確認して、使用可能な空き帯域を確認したときに、該使用可能な空き帯域を用いて送信するものとしても構わない。
【００３１】
又、上述のように複数のチャンネル周波数を使用して送信するとき、又は、時分割送信を行うとき、確認された前記使用可能なチャンネル周波数又は前記使用可能な空き帯域で送信可能なデータ量が前記基準高周波信号のデータ量よりも小さい場合は、前記第１ステップにおいて前記データ群が生成されるときに、前記使用可能なチャンネル周波数又は前記使用可能な空き帯域を用いて送信する前記高周波信号のデータ量が小さくなるように符号化するものとしても構わない。
【００３２】
又、本発明の受信装置は、前記複数の高周波信号を受信する受信部と、該受信部で受信された前記複数の高周波信号を復調することで前記複数のデータ群を生成する復調部と、該復調部で得られた前記複数のデータ群のうち前記基準データ群を格納する第１バッファと、該復調部で得られた前記基準データ群以外のデータ群を格納する第２バッファと、
前記第１バッファから読み出した前記基準データ群の各データに対して異常の存否を確認し、異常の確認されたデータに対して当該データに対応したデータを前記第２バッファより読み出して補填する合成部と、を有することを特徴とする。
【００３３】
又、本発明の受信装置は、前記高周波信号を受信する受信部と、前記他の受信装置に対して信号を送受信する送受信部と、該受信部で受信された前記高周波信号を復調することで前記基準データ群を生成する復調部と、該復調部で得られた前記基準データ群を格納する第１バッファと、該第１バッファに格納された前記基準データ群を変調して前記送受信部に与えるとともに、前記送受信部で受信された前記高周波信号を復調することで前記データ群を生成する変復調部と、該変復調部で得られた前記データ群を格納する第２バッファと、前記第１バッファから読み出した前記基準データ群の各データに対して異常の存否を確認し、異常の確認されたデータに対して当該データに対応したデータを前記第２バッファより読み出して補填する合成部と、を有することを特徴とする。
【００３４】
又、本発明の受信装置は、前記高周波信号を受信する受信部と、該受信部で受信された前記高周波信号を復調することで前記基準データ群を生成する復調部と、該復調部で得られた前記基準データ群を格納する第１バッファと、前記記録媒体から前記データ群の読み出しを行う記録媒体再生部と、前記第１バッファから読み出した前記基準データ群の各データに対して異常の存否を確認し、異常の確認されたデータに対して当該データに対応したデータを前記記録媒体再生部によって前記記録媒体より読み出して補填する合成部と、を有することを特徴とする。
【発明の効果】
【００３５】
本発明によると、異なるデータを組み合わせた複数のデータ群による高周波信号が送信されるため、複数の高周波信号を受信することで同一のデータを異なる時間で受信することができる。よって、所定時間に発生したエラーを回避して正常に受信されたデータを得ることができ、異常が発生したデータの補填を行うことができる。又、従来技術のように高周波信号自身を遅延させて異なるものとした通信システムと異なり、データ自身の順番を入れ替えるものとしているため、各高周波信号同士の影響を除去する必要がなく、データの復元を容易にすることができる。更に、符号化方式の異なるデータ群による複数の高周波信号を送信するため、補填に使用する高周波信号のデータ量を小さくすることができ、使用する帯域幅を狭くすることができる。又、時分割送信することによって、補填に使用するためのチャンネル周波数を別に設ける必要がなく、使用チャンネル周波数の数を少なくすることができる。
【発明を実施するための最良の形態】
【００３６】
＜第１の実施形態＞
本発明の第１の実施形態について、図面を参照して説明する。図１は、本実施形態における通信システムの構成を示すブロック図である。又、図２は、本実施形態における放送局の内部構成を示すブロック図であり、図３は、本実施形態における受信装置の内部構成を示すブロック図である。尚、本実施形態では、ＡＶデータを含む放送信号が送信される放送通信システムを例に挙げて説明する。
【００３７】
図１の通信システムは、ＡＶデータを含む放送信号を複数のアンテナ１１０より送信する放送局１００と、放送局１００からの放送信号を受信する受信装置１０１より構成される。このとき、放送局１００において、同一のＡＶデータがパケット毎に組み替えられて複数の放送信号が生成された後、この複数の放送信号がそれぞれ異なるチャンネル周波数で送信される。同一のＡＶデータより生成された複数の放送信号が受信装置１０１において受信されると、この複数の放送信号より得られるデータを合成することで元のＡＶデータが再現される。
【００３８】
このような通信システムにおいて、放送局１００が図２のように構成されるとともに、受信装置１０１が図３のように構成される。尚、放送局１００が２つのアンテナ１１０ａ，１１０ｂ（図１のアンテナ１１０に相当する）を備え、１つのＡＶデータに対して２つの放送信号を２つの異なるチャンネル周波数ｆａ，ｆｂを用いて送信するものとする。
【００３９】
図２の放送局１００は、ＡＶソースからの映像データ及び音声データであるＡＶデータをＭＰＥＧ（Motion Picture Expert Group）方式などによりデジタル符号化してＥＳ（Elementary Stream）を生成する符号化部１と、符号化部１で得られたＥＳをパケット化してＰＥＳ（Packetized Elementary Stream）を生成した後に複数のＰＥＳとＰＳＩ（Program Specific Information）／ＳＩ（Service Information）とによるＴＳ（Transport Stream）パケットを生成するパケット処理部２と、パケット処理部２で生成されたＴＳパケットを一時的に格納するバッファ３と、バッファ３から読み出してＴＳパケットを多重化した後に誤り訂正符号化などを施すとともに変調処理を行い高周波信号を生成する変調処理部４ａ，４ｂと、を備える。
【００４０】
このように構成されるとき、放送局１００は、ＡＶソースから与えられるコンテンツを構成するＡＶデータが符号化部１に与えられると、符号化部１では、ＡＶソースをデジタル符号化してＥＳを生成する。この際、ＭＰＥＧ２方式が使用されるとき、複数フレームのＡＶデータ予に対してＤＣＴ（Discrete Cosine Transform）変換及びフレーム間の動き補償予測が行われることで、Ｉ（Intra-coded）ピクチャと複数のＰ（Predictive-coded）ピクチャ及びＢ（Bidirectionally-coded）ピクチャを１つの単位とするＧＯＰ（Group Of Picture）構造に基づく符号化が行われる。その後、このようにＭＰＥＧ方式による符号化動作を行うことによって、符号化部１よりＥＳが出力される。
【００４１】
この符号化部１からのＥＳがパケット処理部２に与えられると、パケット処理部２において２段階のパケット化が行われて、ＴＳパケットが生成される。即ち、符号化部１より与えられるＥＳを所定ビット数のデータグループ化することで第１段階のパケット化を行い、ＰＥＳを生成する。そして、このＰＥＳにＰＳＩ／ＳＩを付加して第２段階のパケット化を行って、ＴＳパケットを生成する。このとき、ＴＳパケットに与えられるＰＳＩ／ＳＩは、ＴＳパケットを構成するＰＥＳに関する情報が格納されており、受信装置１０１では、このＰＳＩ／ＳＩを参照することで、ＴＳパケットよりＰＥＳを再生することができる。
【００４２】
このように生成されたＴＳパケットは、バッファ３内に一時的に格納される。そして、変調処理部４ａにおいて、バッファ３に格納されたＴＳパケットを選択的に読み出して多重化するとともに、変調処理部４ｂで生成される別の放送信号により補填可能であることを示すヘッダ情報を付加した後、誤り訂正符号又は誤り検出符号を付加して誤り訂正符号化又は誤り検出符号化を施す。その後、ＯＦＤＭ（Orthogonal Frequency Division multiplex）方式又はＰＳＫ（Phase Shift Keying）方式又はＱＰＳＫ（Quadrature Phase Shift Keying）方式又はＱＡＭ（Quadrature Amplitude Modulation）方式などの変調方式に従って変調した後、チャンネル周波数ｆａの高周波信号を生成し、アンテナ１１０ａより送信する。このようにパケット処理部が動作するとき、無線ＬＡＮ（Local Area Network）のように媒体アクセス制御方式が行われる際、ＭＡＣ（Media Access Control）ヘッダがＴＳパケット内に付加される。
【００４３】
又、変調処理部４ｂにおいて、変調処理部４ａと異なる順番でバッファ３に格納されたＴＳパケットを選択的に読み出して多重化するとともに、変調処理部４ａで生成される別の放送信号により補填可能であることを示すヘッダ情報を付加した後、誤り訂正符号又は誤り検出符号を付加して誤り訂正符号化又は誤り検出符号化を施す。その後、ＯＦＤＭ方式又はＰＳＫ方式又はＱＰＳＫ方式又はＱＡＭ方式などの変調方式に従って変調した後、チャンネル周波数ｆｂの高周波信号を生成し、アンテナ１１０ｂより送信する。このように動作するとき、変調処理部４ａ，４ｂにおいてチャンネル周波数を異なるものとするだけでなく、異なる変調方式が用いられるものとし、アンテナ１１０ａ，１１０ｂより異なる無線通信路によって放送信号が送信されるものとしても構わない。
【００４４】
又、図３の受信装置１０１は、放送局１００から送信される放送信号を受信するアンテナ１１ａ，１１ｂと、アンテナ１１ａ，１１ｂそれぞれで受信された高周波信号より所望の放送信号を選局するチューナ部１２ａ，１２ｂと、チューナ部１２ａ，１２ｂそれぞれで選局された放送信号をデジタルデータに変換した後に復調処理を施して所望の番組のＴＳパケットを生成する復調部１３ａ，１３ｂと、復調部１３ａ，１３ｂで確認されたＴＳパケットを一時的に格納するバッファ１４ａ，１４ｂと、バッファ１４ａ，１４ｂに格納されているＴＳパケットを読み出して合成する合成部１５と、合成部１５で合成されて得られたＴＳパケットの分離などを行うとともにＡＶデータそれぞれのＥＳを生成するパケット処理部１６と、パケット処理部１６で得られたＥＳをＭＰＥＧ方式などにより復号化して映像データ及び音声データとなるＡＶデータを復元する復号化部１７と、復号化部１７で得られたＡＶデータに基づいて映像及び音声を再生出力する出力部１８と、装置内の各部を制御する制御部１９と、を備える。
【００４５】
このように構成されるとき、受信装置１０１は、アンテナ１１０ａ，１１０ｂそれぞれから送信される放送信号のいずれか一方をアンテナ１１ａ，１１ｂのうちの一方のアンテナで受信する。このとき、制御部１９によってチューナ部１２ａ，１２ｂのうちの一方のチューナ部において、受信するチャンネル周波数がｆａ、ｆｂのうちの一方のチャンネル周波数に設定される。チューナ部１２ａ，１２ｂのうちの一方のチューナ部で受信された放送信号が復調部１３ａ，１３ｂのうちの一方の復調部で復調されると、そのヘッダ情報より補填可能な別の放送信号が送信されることを確認する。
【００４６】
このとき、アンテナ１１ａ，１１ｂのうちの他方のアンテナでは、受信動作が行われていないものとしても構わないし、別のチャンネル周波数の放送信号を受信するものとしても構わない。尚、他方のアンテナが受信動作を行っていない場合は、この他方のアンテナに接続されるチューナ部及び復調部及びバッファを電源ＯＦＦされた状態としても構わない。
【００４７】
そして、このヘッダ情報より、補填可能な別の放送信号のチャンネル周波数が、ｆａ、ｆｂのうちの他方のチャンネル周波数であることを確認すると、チューナ部１２ａ，１２ｂのうちの他方のチューナ部において、受信するチャンネル周波数が、ｆａ、ｆｂのうちの他方のチャンネル周波数に設定される。よって、アンテナ１１ａ，１１ｂのうちの他方のアンテナにおいて、ｆａ、ｆｂのうちの他方のチャンネル周波数の放送信号が受信される。尚、このとき、他方のアンテナで受信動作が行われず、この他方のアンテナに接続されたチューナ部及び復調部及びバッファが電源ＯＦＦされている場合、これら電源ＯＦＦされたチューナ部及び復調部及びバッファを電源ＯＮとした後に、チューナ部で受信するチャンネル周波数が設定される。
【００４８】
即ち、チューナ部１２ａにおいて、受信するチャンネル周波数がｆａに設定されたとき、アンテナ１１０ａから送信される放送信号をアンテナ１１ａで受信されるとともに、チューナ部１２ａで選局される。そして、復調部１２ａで復調することによって得られたヘッダ情報により、アンテナ１１０ｂより送信されるチャンネル周波数ｆｂの放送信号が送信されていることを確認する。よって、チューナ部１２ｂにおいて、受信するチャンネル周波数がｆｂに設定され、アンテナ１１０ｂから送信される放送信号をアンテナ１１ｂで受信して、チューナ部１２ｂで選局する。このようにして、チューナ部１２ａでは、チャンネル周波数ｆａの放送信号を選局するとともに、チューナ部１２ｂでは、チャンネル周波数ｆｂの放送信号を選局する。そして、選局された放送信号がチューナ部１２ａ，１２ｂから復調部１３ａ，１３ｂに与えられる。
【００４９】
その後、復調部１３ａでは、チャンネル周波数ｆａで送信される放送信号に対する変調方式に応じて復調動作を行い、又、復調部１３ｂでは、チャンネル周波数ｆｂで送信される放送信号に対する変調方式に応じて復調動作を行う。復調部１３ａ，１３ｂにおいて復調動作を行う際、受信した放送信号をデジタル信号に変換して行う。更に、復調部１３ａ，１３ｂそれぞれにおいて、上述の復調動作が行われて得られた信号に対して誤り訂正処理又は誤り検出処理が行われることで、ＴＳパケットが多重化されたトランスポートストリームが得られ、このトランスポートストリームを分離することで複数のＴＳパケットが生成される。
【００５０】
そして、復調部１３ａ，１３ｂで生成されたＴＳパケットがバッファ１４ａ，１４ｂそれぞれに与えられて一時的に格納される。その後、合成部１５によってバッファ１４ａ，１４ｂに格納されたＴＳパケットが読み出され、正常に受信されたＴＳパケットによって正常に受信されていないＴＳパケットを補填して合成する。このように合成されたＴＳパケットが、パケット処理部１６に与えられると、ＴＳパケット内のＰＳＩ／ＳＩを参照して、１パケット毎のＰＥＳを再生した後、このＰＥＳを復号化することでＥＳを生成する。そして、復号化部１７において、ＭＰＥＧ方式などに従い、パケット処理部１６より与えられるＥＳを復号化してＡＶデータを生成し、出力部１８において、生成されたＡＶデータに応じた映像及び音声を再生出力する。
【００５１】
このように構成される放送局１００より送信される放送信号と、この放送信号を受信する受信装置１０１における受信動作との関係について、以下に説明する。
【００５２】
１．放送信号及び放送信号の受信動作の第１例
図４を参照して、放送信号及び放送信号の受信動作の第１例について説明する。上述のように、放送局１００において、パケット処理部２で、図４（ａ）のように、時系列順にＴＳパケットＰ１，Ｐ２，Ｐ３，…，Ｐｎ＋１，Ｐｎ＋２，Ｐｎ＋３，…が生成されて、バッファ３に格納される。このようにして生成されたＴＳパケットがバッファ３に格納されると、バッファ３に格納されたＴＳパケットが、変調処理部４ａ，４ｂによって異なる順番で読み出されて、２つの高周波信号が生成される。
【００５３】
即ち、変調処理部４ａでは、図４（ｂ）のように、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ３に格納されたＴＳパケットを読み出して、チャンネル周波数ｆａによる高周波信号を生成し、アンテナ１１０ａより送信する。又、変調処理部４ｂでは、図４（ｃ）のように、Ｐ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で、バッファ３に格納されたＴＳパケットを読み出して、チャンネル周波数ｆｂによる高周波信号を生成し、アンテナ１１０ｂより送信する。
【００５４】
このようにして、チャンネル周波数ｆａ，ｆｂによる高周波信号となる放送信号がアンテナ１１０ａ，１１０ｂより送信されると、受信装置１０１において、アンテナ１１ａ，１１ｂで受信される。そして、チューナ部１２ａにおいてチャンネル周波数ｆａの放送信号が選局されるとともに、チューナ部１２ｂにおいて、チャンネル周波数ｆｂの放送信号が選局される。よって、復調部１３ａで復調処理が行われて得られたＴＳパケットが、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ１４ａに出力されて格納されるとともに、復調部１３ｂで復調処理が行われて得られたＴＳパケットが、Ｐ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で、バッファ１４ｂに出力されて格納される。
【００５５】
そして、合成部１５によって、バッファ１４ａに格納されたＴＳパケットＰ１，Ｐ２，Ｐ３，Ｐ４，Ｐ５，Ｐ６，…を順に読み出したとき、再生されたＴＳパケットが正常に受信されたか否かが確認される。尚、図４（ｂ）及び図４（ｃ）において、正常に受信されて再生されたＴＳパケットを「○」印で表し、又、正常に受信されずに再生されたＴＳパケットを「×」印で表す。又、図４（ｂ）及び図４（ｃ）のように、期間Ｔにおいて、通信路状態が悪化し、チャンネル周波数ｆａについてはＴＳパケットＰ２，Ｐ３が、チャンネル周波数ｆｂについてはＴＳパケットＰ５，Ｐ６が、それぞれ正常に受信されなかったものとする。よって、合成部１５では、バッファ１４ａに格納されたＴＳパケットの内、ＴＳパケットＰ２，Ｐ３が正常に受信できなかったことを確認する。
【００５６】
尚、ここでは合成部１５によって、ＴＳパケットが正常に受信されたか否かが確認されるものとするが、復調部１３ａ，１３ｂや制御部１９等の合成部１５以外の部分において、正常に受信されたか否かの判定を行うものとしても構わない。そして、その判定結果を合成部１５や制御部１９に送出するとともに、合成部１５や制御部１９において処理されるものとしても構わない。
【００５７】
このようにバッファ１４ａより順番に読み出したＴＳパケットの内、正常に受信されなかったＴＳパケットが確認されると、この正常に受信されなかったＴＳパケットに相当するＴＳパケットをバッファ１４ｂより読み出して、バッファ１４ａから読み出された正常に受信されたＴＳパケットに組み込むことで、合成する。即ち、チャンネル周波数ｆａによる放送信号より図４（ｂ）のようなＴＳパケットを受信したとき、合成部１５では、バッファ１４ａより順番に読み出されたＴＳパケットの内、ＴＳパケットＰ２，Ｐ３が正常に受信されなかったことが確認される。又、チャンネル周波数ｆｂによる放送信号より図４（ｃ）のような順でＴＳパケットが送信されるため、ＴＳパケットＰ２，Ｐ３による放送信号が期間Ｔ以外の期間で送信され、受信装置１０１において正常に受信される。
【００５８】
よって、合成部１５がバッファ１４ｂより正常に受信されて再生されたＴＳパケットＰ２，Ｐ３を読み出して、バッファ１４ａより読み出したＴＳパケットＰ１，Ｐ４の間の位置に組み込むことで図４（ｄ）のように合成する。そして、合成部１５で合成された図４（ｄ）のようなＴＳパケットＰ１，Ｐ２，Ｐ３，Ｐ４，Ｐ５，Ｐ６，…が順番に、パケット処理部１６に与えられ、各ＴＳパケットのＰＳＩ／ＳＩに基づいてＰＥＳを生成した後、このＰＥＳを復号化することでＥＳを生成する。そして、復号化部１７において、ＭＰＥＧ方式などに従ってＥＳの復号化を行うことでＡＶデータを生成し、出力部１８で映像及び音声を再生出力する。
【００５９】
尚、本例におけるパケットの変更順は一例であり、各例において、それぞれが３パケット分がずれる構成としているが、各パケットの到着時間に時間差が生まれる並び替えであれば他の順序としても構わない。
【００６０】
２．放送信号及び放送信号の受信動作の第２例
次に、図５を参照して、放送信号及び放送信号の受信動作の第２例について説明する。尚、本例は、チャンネル周波数ｆｂで送信される放送信号におけるＴＳパケットの順番が第１例と異なるものであり、放送局１００及び受信装置１０１の基本動作は、第１例と同様であるので、その詳細については第１例を参照するものとして、省略する。よって、まず、放送局１００において、パケット処理部２で図４（ａ）のように生成されたＴＳパケットＰ１，Ｐ２，Ｐ３，…，Ｐｎ＋１，Ｐｎ＋２，Ｐｎ＋３，…が時系列順にバッファ３に格納される。そして、バッファ３に格納されたＴＳパケットが、変調処理部４ａ，４ｂによって異なる順番で読み出されることによって、２つの高周波信号が生成される。
【００６１】
このとき、変調処理部４ａでは、第１例と同様、図５（ａ）のように、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ３に格納されたＴＳパケットを読み出して、チャンネル周波数ｆａによる高周波信号を生成し、アンテナ１１０ａより送信する。又、変調処理部４ｂでは、図５（ｂ）のように、Ｐ１−ｎ，Ｐ２−ｎ，Ｐ３−ｎ，Ｐ４−ｎ，Ｐ５−ｎ，Ｐ６−ｎ，…，Ｐ１，Ｐ２，Ｐ３，Ｐ４，Ｐ５，Ｐ６，…の順で、バッファ３に格納されたＴＳパケットを読み出して、チャンネル周波数ｆｂによる高周波信号を生成し、アンテナ１１０ｂより送信する。即ち、変調処理部４ｂでは、同一のタイミングで変調処理部４ａが読みだすＴＳパケットからｎパケット分遅延したＴＳパケットを読み出して、高周波信号を生成して送信する。
【００６２】
このようにして、チャンネル周波数ｆａ，ｆｂによる高周波信号となる放送信号が送信されると、受信装置１０１において受信され、バッファ１４ａに、図５（ａ）のような順でＴＳパケットＰ１，Ｐ２，Ｐ３，Ｐ４，Ｐ５，Ｐ６，…が格納されるとともに、バッファ１４ｂに、図５（ｂ）のような順でＴＳパケットＰ１−ｎ，Ｐ２−ｎ，Ｐ３−ｎ，Ｐ４−ｎ，Ｐ５−ｎ，Ｐ６−ｎ，…が格納される。そして、図５（ａ）、（ｂ）のように、期間Ｔにおいて通信路状態が悪化し、チャンネル周波数ｆａについてはＴＳパケットＰ２，Ｐ３が、チャンネル周波数ｆｂについてはＴＳパケットＰ２−ｎ，Ｐ３−ｎが、それぞれ正常に受信されなかったものとする。
【００６３】
このとき、合成部１５では、バッファ１４ａに格納されたＴＳパケットの内、ＴＳパケットＰ２，Ｐ３が正常に受信できなかったことを確認し、バッファ１４ａに格納されたＴＳパケットＰ２，Ｐ３よりもｎパケット分後に受信されてバッファ１４ｂに格納されたＴＳパケットＰ２，Ｐ３が読み出される。そして、このバッファ１４ｂから読み出したＴＳパケットＰ２，Ｐ３を、バッファ１４ａから読み出された正常に受信されたＴＳパケットに組み込むことで、図５（ｃ）のように合成する。よって、正常に受信されたＴＳパケットＰ１，Ｐ２，Ｐ３，Ｐ４，Ｐ５，Ｐ６，…が順番に、合成部１５からパケット処理部１６に与えられることで、パケット処理部１６及び復号化部１７で復号化されて、出力部１８で映像及び音声が再生出力される。
【００６４】
３．放送信号の第３例
次に、図６を参照して、放送信号及び放送信号の受信動作の第３例について説明する。尚、本例は、チャンネル周波数ｆｂで送信される放送信号におけるＴＳパケットの順番が第１例と異なるものであり、放送局１００及び受信装置１０１の基本動作は、第１例と同様であるので、その詳細については第１例を参照するものとして、省略する。即ち、本例では、放送局１００において、第１例のように順番の組み替えを行うとともに第２例のような時間的な遅延をも行った２つの放送信号が生成され、受信装置１０１に対して送信される。
【００６５】
このとき、変調処理部４ａでは、第１例と同様、図６（ａ）のように、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ３に格納されたＴＳパケットを読み出して、チャンネル周波数ｆａによる高周波信号を生成し、アンテナ１１０ａより送信する。又、変調処理部４ｂでは、図６（ｂ）のように、Ｐ４−ｎ，Ｐ５−ｎ，Ｐ６−ｎ，Ｐ１−ｎ，Ｐ２−ｎ，Ｐ３−ｎ，…，Ｐ４，Ｐ５，Ｐ６，Ｐ１，Ｐ２，Ｐ３，…の順で、バッファ３に格納されたＴＳパケットを読み出して、チャンネル周波数ｆｂによる高周波信号を生成し、アンテナ１１０ｂより送信する。即ち、変調処理部４ｂでは、同一のタイミングで変調処理部４ａが読みだすＴＳパケットからｎパケット分遅延したＴＳパケットを、その順番を組み替えて読み出す。
【００６６】
このようにして、チャンネル周波数ｆａ，ｆｂによる高周波信号となる放送信号が送信されると、受信装置１０１において受信され、バッファ１４ａに、図６（ａ）のような順でＴＳパケットＰ１，Ｐ２，Ｐ３，Ｐ４，Ｐ５，Ｐ６，…が格納されるとともに、バッファ１４ｂに、図６（ｂ）のような順でＴＳパケットＰ４−ｎ，Ｐ５−ｎ，Ｐ６−ｎ，Ｐ１−ｎ，Ｐ２−ｎ，Ｐ３−ｎ，…が格納される。そして、図６（ａ）、（ｂ）のように、期間Ｔにおいて通信路状態が悪化し、チャンネル周波数ｆａについてはＴＳパケットＰ２，Ｐ３が、チャンネル周波数ｆｂについてはＴＳパケットＰ５−ｎ，Ｐ６−ｎが、それぞれ正常に受信されなかったものとする。
【００６７】
このとき、合成部１５では、バッファ１４ａに格納されたＴＳパケットの内、ＴＳパケットＰ２，Ｐ３が正常に受信できなかったことを確認し、バッファ１４ｂに格納されたＴＳパケットＰ２，Ｐ３が読み出される。そして、このバッファ１４ｂから読み出したＴＳパケットＰ２，Ｐ３を、バッファ１４ａから読み出された正常に受信されたＴＳパケットに組み込むことで、図６（ｃ）のように合成する。よって、正常に受信されたＴＳパケットＰ１，Ｐ２，Ｐ３，Ｐ４，Ｐ５，Ｐ６，…が順番に、合成部１５からパケット処理部１６に与えられることで、パケット処理部１６及び復号化部１７で復号化されて、出力部１８で映像及び音声が再生出力される。
【００６８】
尚、上述の第１例〜第３例においては、図４（ｂ）又は図５（ａ）又は図６（ａ）のようなチャンネル周波数ｆａの放送信号に基づいて、正常に受信されていないＴＳパケットを確認したとき、チャンネル周波数ｆｂの放送信号によって正常に受信されたＴＳパケットを確認して組み込むことで、ＴＳパケットの合成を行うものとしたが、チャンネル周波数ｆｂの放送信号に基づいて、正常に受信されていないＴＳパケットを確認するようにしても構わない。
【００６９】
即ち、合成部１５において、図４（ｃ）のようなチャンネル周波数ｆｂの放送信号を受信したとき、ＴＳパケットＰ５，Ｐ６が正常に受信していないことを確認する。このとき、図４（ｂ）のようなチャンネル周波数ｆａの放送信号によって正常に受信されたＴＳパケットＰ５，Ｐ６が組み込まれることで、図７（ａ）のようなＴＳパケットＰ４，Ｐ５，Ｐ６，Ｐ１，Ｐ２，Ｐ３，…が順番に、パケット処理部１６に与えられ復号化される。
【００７０】
又、合成部１５において、図５（ｂ）のようなチャンネル周波数ｆｂの放送信号を受信したとき、ＴＳパケットＰ２−ｎ，Ｐ３−ｎが正常に受信していないことを確認する。このとき、図５（ａ）のようなチャンネル周波数ｆａの放送信号によって正常に受信されたＴＳパケットＰ２−ｎ，Ｐ３−ｎが組み込まれることで、図７（ｂ）のようなＴＳパケットＰ１−ｎ，Ｐ２−ｎ，Ｐ３−ｎ，Ｐ４−ｎ，Ｐ５−ｎ，Ｐ６−ｎ，…が順番に、パケット処理部１６に与えられ復号化される。
【００７１】
即ち、合成部１５において、図６（ｂ）のようなチャンネル周波数ｆｂの放送信号を受信したとき、ＴＳパケットＰ５−ｎ，Ｐ６−ｎが正常に受信していないことを確認する。このとき、図６（ａ）のようなチャンネル周波数ｆａの放送信号によって正常に受信されたＴＳパケットＰ５−ｎ，ｐ６−ｎが組み込まれることで、図７（ｃ）のようなＴＳパケットＰ４−ｎ，Ｐ５−ｎ，Ｐ６−ｎ，Ｐ１−ｎ，Ｐ２−ｎ，Ｐ３−ｎ，…が順番に、パケット処理部１６に与えられ復号化される。
【００７２】
又、本実施形態において、ＴＳパケットの順番の異なるチャンネル周波数ｆａ，ｆｂの２つの放送信号によって送信されるものとしたが、ＴＳパケットの順番の異なる３つ以上の放送信号をそれぞれ異なるチャンネル周波数又は異なる通信路を用いて送信するものとしても構わない。このとき送信される放送信号として、３つの異なる放送信号が送信される例を図８に示す。このとき、放送局１００が図２の構成に更に変調処理部及びアンテナが１つずつ付加された構成となるとともに、受信装置１０１が図３の構成に更にアンテナ及びチューナ部及び復調部及びバッファが１つずつ付加された構成となる。
【００７３】
そして、放送局１００より、図８（ａ）のようにＰ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で読み出されたＴＳパケットによる放送信号がチャンネル周波数ｆａで送信され、図８（ｂ）のようにＰ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で読み出されたＴＳパケットによる放送信号がチャンネル周波数ｆｂで送信され、図８（ｃ）のようにＰ４−ｎ，Ｐ５−ｎ，Ｐ６−ｎ，Ｐ１−ｎ，Ｐ２−ｎ，Ｐ３−ｎ，…，Ｐ４，Ｐ５，Ｐ６，Ｐ１，Ｐ２，Ｐ３，…の順で読み出されたＴＳパケットによる放送信号がチャンネル周波数ｆｃで送信される。
【００７４】
このような３つの放送信号が受信装置１０１で受信されると、チャンネル周波数ｆａによる放送信号を基準としたとき、通信路に異常が発生した期間Ｔにおいて送信されるＴＳパケットＰ２，Ｐ３がチャンネル周波数ｆｂ，ｆｃの放送信号のいずれかによって補填され、図８（ｄ）のようなＴＳパケットＰ１，Ｐ２，Ｐ３，Ｐ４，Ｐ５，Ｐ６，…が得られる。又、チャンネル周波数ｆｂによる放送信号を基準としたとき、通信路に異常が発生した期間Ｔにおいて送信されるＴＳパケットＰ５，Ｐ６がチャンネル周波数ｆａ，ｆｃの放送信号のいずれかによって補填され、図８（ｅ）のようなＴＳパケットＰ４，Ｐ５，Ｐ６，Ｐ１，Ｐ２，Ｐ３，…が得られる。又、チャンネル周波数ｆｃによる放送信号を基準としたとき、通信路に異常が発生した期間Ｔにおいて送信されるＴＳパケットＰ５−ｎ，Ｐ６−ｎ，がチャンネル周波数ｆａ，ｆｂの放送信号のいずれかによって補填され、図８（ｆ）のようなＴＳパケットＰ４−ｎ，Ｐ５−ｎ，Ｐ６−ｎ，Ｐ１−ｎ，Ｐ２−ｎ，Ｐ３−ｎ，…が得られる。
【００７５】
更に、このように３つ以上の異なる放送信号が送信されるとき、図３のように、受信装置１０１が２つの放送信号のみしか受信できない場合、まず、一方のチューナ部により１つの放送信号を受信装置１０１が受信し、そのヘッダ情報より、他のチャンネル周波数により放送信号が送信されることを確認する。そして、所定時間毎に、他方のチューナ部の残りの放送信号それぞれを順番に受信し、通信路が最も安定している放送信号を確認した後、この通信路が最も安定している放送信号を他方のチューナ部で受信するように、そのチャンネル周波数が選択される。
【００７６】
即ち、ｎ局となるチャンネル周波数ｆ１〜ｆｎの放送信号により送信されているとともに、受信装置１０１がチューナ部１２ａでチャンネル周波数ｆ１の放送信号を選局したとき、そのヘッダ情報を復調部１３ａで確認し、チャンネル周波数ｆ２〜ｆｎの放送信号で補填可能であることを認識する。そして、チューナ部１２ｂにおけるチャンネル周波数をチャンネル周波数ｆ２〜ｆｎに１局毎に切り換えて設定し、各局の通信路状態を確認した後、最も通信路の安定しているチャンネル周波数ｆｋ（２≦ｋ≦ｎ）を選択し、チューナ部１２におけるチャンネル周波数に設定する。その後の動作は、上述の第１例〜第３例で示した動作と同様の動作が行われる。
【００７７】
尚、上述の放送信号の構成を示す各例のような放送信号を複数送信することで、パケット数個が連続して欠落しても受信側で再生可能となる。又、上述のように、放送信号として送信される１パケットにＴＳパケット１つ含む場合であれば、ヘッダやエラー訂正符号の量にもよるが、略２７０バイト程度となる。この２７０バイトのパケットを５４Ｍｂｐｓで送信する場合、１パケットのデータ送信にかかる時間が、２５０×８／５４，０００，０００ｓｅｃ＋ギャップとなる。又、以下の説明では、その説明を容易にするため、２個のＴＳパケットがしめる時間を約０．１ｍｓｅｃとする。
【００７８】
そして、上述のように２個のＴＳパケットによるエラーが発生したとき、その発生時間が０．１ｍｓｅｃの連続エラーに相当する。このとき、２個のＴＳパケットよる連続エラーよりも長い時間の連続エラーに対応するために、受信側で受信されて得られるＴＳパケットの到着時間差を０．１ｍｓｅｃよりも長くすればよい。即ち、各放送信号の間で補填を目的とする各パケットの送信される時間差を長くすることによって、受信側での到着時間差を長くすることができるため、長い時間の連続エラーに対応することができる。
【００７９】
よって、例えば、上述の各例におけるＰ１、Ｐ２・・・それぞれが、複数パケット単位のＴＳパケット群によるものとしても構わない。この複数パケット単位のＴＳパケット群による入れ替えを行うことで、長い時間の連続エラーに対応することができる。即ち、そのＴＳパケット群のパケット単位をそれぞれ１０パケット、１００パケット、１０００パケット、１００００パケットとしたとき、２単位分のＴＳパケット群により補填されるエラー時間をそれぞれ、１ｍｓｅｃ、１０ｍｓｅｃ、１００ｍｓｅｃ、１ｓｅｃと長くすることができる。
【００８０】
又、ＩＰパケットのように、放送信号として送信される１パケットにＴＳパケットを複数個備えるとき、送信されるそのパケット長をＩＰパケットの最大長で送ると、そのサイズは１５００バイトとなる。この場合、各レイヤーにおけるヘッダや、必要に応じてエラー訂正符号が加えられるので、１８８バイトのＴＳパケット６〜７個を備えたパケットを送信することになる。この１５００バイトとなるパケットを５４Ｍｂｐｓで送信する場合、１パケットのデータ送信にかかる時間は、１５００×８／５４，０００，０００ ｓｅｃ＋ギャップとなり、１個のパケットが閉める時間は略０．２３ｍｓｅｃになる。このような複数のＴＳパケットより構成される場合においても、より長い時間の連続エラーに対応するためには、受信側で受信されて得られるパケットの到着時間差を長くすればよい。
【００８１】
又、１つのＴＳパケットを備えた放送信号として送信されるパケットを、複数パケットを１単位として入れ替えるものとしても構わない。又、複数のＴＳパケットを備えたＩＰパケットの例のように、放送信号として送信される１つのパケット内に複数のＴＳパケットを備えるときに使用される場合でも、放送信号として送信される複数パケットを１単位として入れ替えるものとしても構わない。尚、本明細書において、入れ替えを行う放送信号として送信されるパケットやＴＳパケットやＴＳパケット群に対して、説明を簡単にするために、ＴＳパケットが入れ替えられるものとして説明する。
【００８２】
又、複数の放送信号で補填される場合、その放送信号の１つを補填専用の放送信号としても構わない。更に、各放送信号が受信される方向を異なるものとしても構わない。このとき、受信装置では、受信される放送信号の方向が異なるため、方向性のある電波障害に対してより強い放送信号とすることができる。
【００８３】
又、本実施形態において、放送局より、異なるチャンネル周波数又は無線通信路を用いて、ＴＳパケットの順番が異なる放送信号を送信するものとしたが、有線通信路を含む複数の異なる通信路より、ＴＳパケットの順番が異なる放送信号を送信するものとしても構わない。例えば、図９のように、ＴＳパケットの順番が異なる２つの放送信号を放送局１００が生成して、一方の放送信号を無線通信路より送信するとともに、他方の放送信号をインターネット１２０を介したケーブル線や光ファイバやＤＳＬなどの有線通信路によって送信する。
【００８４】
＜第２の実施形態＞
本発明の第２の実施形態について、図面を参照して説明する。図１０は、本実施形態における通信システムの構成を示すブロック図である。又、図１１は、本実施形態における中継局の内部構成を示すブロック図である。尚、本実施形態では、第１の実施形態と同様、ＡＶデータを含む放送信号が送信される放送通信システムを例に挙げて説明する。
【００８５】
図１０の通信システムは、ＡＶデータを含む放送信号をアンテナ１１０より送信する放送局１００と、放送局１００からの放送信号を受信するとともにアンテナ１１１より放送信号を再度送信する中継局１０２と、放送局１００及び中継局１０２から送信された放送信号を受信する受信装置１０１と、より構成される。このとき、放送局１００において、チャンネル周波数ｆａの放送信号が生成された後、１つのアンテナ１１０から送信される。そして、この放送局１００から送信される放送信号を中継局１０２が受信すると、中継局１０２において、一度、ＴＳパケットが再生された後に、そのＴＳパケットの順番が組み替えられた放送信号が生成される。
【００８６】
このように中継局１０２で生成された放送信号は、放送局１００から送信される放送信号と異なるチャンネル周波数ｆｂ又は異なる無線通信路によって送信される。よって、放送局１００及び中継局１０２より同一のＡＶデータより生成された複数の放送信号が送信され、この複数の放送信号が受信装置１０１において受信されると、この複数の放送信号より得られるデータを合成することで元のＡＶデータが再現される。
【００８７】
このとき、本実施形態における放送局１００は、図２のように複数の放送信号を送信できる構成としても構わないし、図２の構成から変調処理部４ｂ及びアンテナ１１０ｂを除去することで１つの放送信号のみを送信する構成としても構わない。このようにして放送局１００から送信される放送信号を受信して、そのＴＳパケットの組み替えを行った放送信号を生成して再送する中継局１０２について、以下に説明する。
【００８８】
図１１に示す中継局１０２は、放送局１００から送信される放送信号を受信するアンテナ２１と、アンテナ２１で受信された高周波信号より所望の放送信号を選局するチューナ部２２と、チューナ部２２で選局された放送信号をデジタルデータに変換した後に復調処理を施して所望の番組のＴＳパケットを生成する復調部２３と、復調部２３で確認されたＴＳパケットを一時的に格納するバッファ２４と、バッファ２４から読み出してＴＳパケットを多重化した後に誤り訂正符号化などを施すとともに変調処理を行い高周波信号を生成する変調処理部２５と、変調処理部２５で生成した高周波信号を放送信号として送信するアンテナ１１１と、を備える。
【００８９】
このように構成されるとき、放送局１００よりチャンネル周波数ｆａの放送信号が送信されると、中継局１０２では、アンテナ２１で受信する。このとき、チューナ部２２で受信するチャンネル周波数がｆａに設定されているため、チューナ部２２において、チャンネル周波数ｆａの放送信号を選局する。そして、復調部２３において、チャンネル周波数ｆａで送信された放送信号に対する変調方式に応じて復調動作を行う。このとき、受信した放送信号をデジタル信号に変換して復調動作を行い、この復調された信号に対して誤り訂正処理又は誤り検出処理を行ってトランスポートストリームを生成した後、トランスポートストリームを分離してＴＳパケットを生成する。このようにして復調部２３で得られたＴＳパケットを順番にバッファ２４に格納する。
【００９０】
このようにバッファ２４に格納されたＴＳパケットが、変調処理部２５によって、復調部２３で生成されたＴＳパケットと異なる順番で選択的に読み出して多重化した後、誤り訂正符号又は誤り検出符号を付加して誤り訂正符号化又は誤り検出符号化を施す。その後、ＯＦＤＭ方式又はＰＳＫ方式又はＱＰＳＫ方式又はＱＡＭ方式などの変調方式に従って変調した後、チャンネル周波数ｆｂの高周波信号を生成し、アンテナ１１１より送信する。このように動作するとき、変調処理部２５において、チャンネル周波数を放送局１００から送信された放送信号のチャンネル周波数と異なるものとするだけでなく、放送局１００が使用する変調方式と異なる変調方式が用いられるものとし、放送局１００及び中継局１０２より異なる無線通信路によって放送信号が送信されるものとしても構わない。
【００９１】
このように、放送局１００及び中継局１０２それぞれより、同一番組を表すＴＳパケットが異なる順番で組み込まれた放送信号が送信されるとき、受信装置１０１では、この複数の放送信号を受信して、第１の実施形態と同様の動作を行うことによって、複数の放送信号から得られるＴＳパケットを合成する。即ち、第１の実施形態で説明した放送信号及び放送信号の受信動作（図５〜図８）に示す複数の放送信号が送信されると、受信装置１０１では、この複数の放送信号より、基準となる放送信号において正常に受信されなかったＴＳパケットを確認したとき、他の放送信号より得られるＴＳパケットにより補填を行うことで合成する。
【００９２】
以下に、図５における動作例に基づいて、本実施形態の動作について説明する。図４（ａ）のように生成されたＴＳパケットＰ１，Ｐ２，Ｐ３，…が、放送局１００より、図５（ａ）におけるＰ１，Ｐ２，Ｐ３，…，Ｐｎ＋１，Ｐｎ＋２，Ｐｎ＋３，…の順で、チャンネル周波数ｆａの放送信号に変化されて送信される。このチャンネル周波数ｆａの放送信号が中継局１０２のアンテナ２１及びチューナ部２２で受信されると、復調部２３で復調処理が行われてＴＳパケットが生成される。そして、ＴＳパケットＰ１，Ｐ２，Ｐ３，…，Ｐｎ＋１，Ｐｎ＋２，Ｐｎ＋３，…が順にバッファ２４に格納される。
【００９３】
このようにしてバッファ２４に復調されたＴＳパケットが格納されると、変調処理部２５において、バッファ２４に格納されたＴＳパケットを読み出して、チャンネル周波数ｆｂによる高周波信号を生成し、アンテナ２６より送信する。このとき、チャンネル周波数ｆａによる放送信号により補填可能であることを示すヘッダ情報が変調処理部２５で付加される。このように中継局１０２では、放送局１００からの放送信号を復調した後に変調を行って送信するため、放送局１００からの放送信号に対して遅延が発生する。よって、この中継局１０２のアンテナ２６から、図５（ｂ）のように、ＴＳパケットがＰ１−ｎ，Ｐ２−ｎ，Ｐ３−ｎ，…，Ｐ１，Ｐ２，Ｐ３，…の順となるチャンネル周波数ｆｂによる高周波信号が生成されて、アンテナ２６より送信される。
【００９４】
よって、受信装置１０１では、第１の実施形態と同様の動作を行うことで、図５（ａ）のような順のＴＳパケットによって構成されるチャンネル周波数ｆａの放送信号及び図５（ｂ）のような順のＴＳパケットによって構成されるチャンネル周波数ｆｂの放送信号を受信する。そして、受信装置１０１において、チャンネル周波数ｆａの放送信号より得られるＴＳパケットを、チャンネル周波数ｆｂの放送信号より得られるＴＳパケットによって補填することで、正常に受信されたＴＳパケットより成る放送信号を受信することができる。
【００９５】
尚、本実施形態において、図５における例を用いて動作を説明したが、図６又は図７における例による動作を行うものとしても構わない。更に、複数の中継局より複数のＴＳパケットの順の異なる放送信号が送信されることにより、又は、放送局より複数のＴＳパケットの順の異なる放送信号が送信されることにより、例えば、ＴＳパケットの順の異なる３つの放送信号が送信されるような図８のような動作を行うものとしても構わないし、更に複数の放送信号が送信されるようなものとしても構わない。このように複数の放送信号が送信されるとき、更に、通信路状態の良好な放送信号を選択して補填するようにしても構わない。
【００９６】
又、本実施形態において、放送局及び中継局より、異なるチャンネル周波数又は無線通信路を用いて、ＴＳパケットの順番が異なる放送信号を送信するものとしたが、有線通信路を含む複数の異なる通信路より、ＴＳパケットの順番が異なる放送信号を送信するものとしても構わない。例えば、図１２のように、放送局１００より無線通信路を介して放送信号が送信されるとともに、中継局１０２が放送局１００からの放送信号とＴＳパケットの順番が異なる放送信号を生成して、インターネット１２０を介したケーブル線や光ファイバやＤＳＬなどの有線通信路によって送信する。
【００９７】
更に、中継局１０２から放送局１００に対して再送要求を行うものとしても構わない。このとき、放送局１００と中継局１０２との間において通信可能な専用のチャンネル又は放送信号に使用される通信媒体と異なる通信媒体などによる専用の通信路が設けられる。この専用の通信路は、中継局１０２から放送局１００への再送要求専用に使用される。即ち、中継局１０２で正常に受信されなかったＴＳパケットの再送要求が専用の通信路を通じて放送局１００に成される。この再送要求を受信した放送局１００は、再送要求されたＴＳパケットをチャンネル周波数ｆａの放送信号に追加して送信する。そして、中継局１０２において、再送されたＴＳパケットによって正常にＴＳパケットを受信すると、この再送されたＴＳパケットを用いて正常に受信されなかったＴＳパケットが補完された後、チャンネル周波数ｆｂの放送信号を生成して送信する。
【００９８】
又、受信装置１０１では、再送するＴＳパケットを含む放送局１００からのチャンネル周波数ｆａの放送信号と、補完されたＴＳパケットを含む中継局１０２からのチャンネル周波数ｆｂの放送信号と、を受信する。よって、放送局１００からの送信状態が悪化した場合、中継局１０２により再送要求されるため、受信装置１０１においても再送されたＴＳパケットを受信することができる。このように動作するとき、チャンネル周波数ｆａ、ｆｂそれぞれの間における同一ＴＳパケットの遅延時間が、この放送局１００と中継局１０２との間における再送動作による遅延時間を含むものとしても構わない。
【００９９】
又、専用のチャンネルを用いて、中継局１０２から放送局１００への再送要求を行うとともに、放送局１００から中継局１０２への再送要求されたＴＳパケットを再送するようにしても構わない。このようにすることで、中継局１０２において、ＴＳパケットを正常に受信する確率を高くすることができる。
【０１００】
又、本実施形態において中継局１０２より補填を行うための放送信号が送信されるとき、この放送信号には、放送局１００から送信される放送信号に含まれるコンテンツと同一の内容のコンテンツが含まれる。このとき、このコンテンツ以外のコマーシャルなどのコンテンツに付加される内容については、放送局１００及び中継局１０２で扱う内容が異なるものとしても構わない。このとき、受信装置１０１側では、中継局１０２より受信した補填を行うための放送信号よりコンテンツ部分のみを抜き出して、放送局１００から送信された放送信号より得られるコンテンツの補填を行う。
【０１０１】
又、本実施形態において、放送局と中継局から送信される図５（ａ）、（ｂ）のような放送信号で補填するものを例示したが、図５（ａ）、（ｂ）のような放送信号それぞれが単独で放送として成り立つものであり、異なる放送局から送信されるものであっても構わない。即ち、例えば、放送局ｘからの図５（ａ）の放送信号が地域Ｘ用の放送信号であり、放送局ｙからの図５（ｂ）の放送信号が地域Ｙ用の放送信号であるものとし、図５（ａ）、（ｂ）それぞれの放送信号が送信される放送範囲が異なるものとする。そして、図５（ａ）、（ｂ）（図５とは限らず、例えば、図４又は図７のような送信順序としても構わない）のように、それぞれの放送局ｘ，ｙから送信される放送信号のパケット送信順序を変える。このとき、受信装置が地域Ｘ，Ｙそれぞれが重なった地域にある場合、放送局ｘ、ｙそれぞれから送信される図５（ａ）、（ｂ）の放送信号を両方受信できる。よって、図５（ａ）、（ｂ）の放送信号を受信した受信装置は、この２つの放送信号で補填を行い、より安定した受信を行うことができる。
【０１０２】
又、このように同じ内容の放送信号を送信する複数の放送局から送信される放送信号を用いて補填する例を説明したが、異なる地域それぞれに送信される放送信号でなく、同一地域を対象にした異なる放送局より異なるチャンネルを用いて送信されるものとしても構わない。即ち、図５（ａ）、（ｂ）の放送信号が、同一地域を対象にした異なる放送局より異なるチャンネルを用いて送信される放送信号であっても構わない。これらのように、既にそれぞれが単独の放送として成立する複数の放送信号を用いることで、補填専用の帯域を新たに追加する必要がないため、その帯域を全く消費することなく実施することが可能である。
【０１０３】
＜第３の実施形態＞
本発明の第３の実施形態について、図面を参照して説明する。図１３は、本実施形態における放送局の内部構成を示すブロック図であり、図１４は、本実施形態における受信装置の内部構成を示すブロック図である。尚、本実施形態では、第１の実施形態と同様、図１のような構成の放送通信システムが構成されている。
【０１０４】
本実施形態における放送局１００は、図１３に示すように、ＡＶソースからのコンテンツを構成するＡＶデータをデジタル符号化する符号化部１ａと、ＡＶソースからのコンテンツを構成するＡＶデータをデータ量の少ないＡＶデータに変換するデータ変換部５と、データ変換部５からのＡＶデータをデジタル符号化する符号化部１ｂと、符号化部１ａ，１ｂそれぞれで得られたデジタルデータをパケット化したＴＳパケットを生成するパケット処理部２ａ，２ｂと、パケット処理部２ａ，２ｂそれぞれで生成されたＴＳパケットを一時的に格納するバッファ３ａ，３ｂと、バッファ３ａ，３ｂそれぞれから読み出してＴＳパケットを多重化した後に誤り訂正符号化などを施すとともに変調処理を行い高周波信号を生成する変調処理部４ａ，４ｂと、を備える。
【０１０５】
このように構成される放送局１００において、ＡＶソースから走査線本数の多いＨＤＴＶ（High Definition Television）用のＡＶデータが符号化部１ａ及びデータ変換部５に与えられる。そして、データ変換部５において、ＨＤＴＶ用のＡＶデータがＳＤＴＶ（Standard Definition Television）用のＡＶデータに変換されて、符号化部１ｂに与えられる。よって、符号化部１ａ，１ｂそれぞれにおいて、同一フレームにおけるデータ量の異なるＡＶデータに対するデジタルデータが生成される。尚、符号化部１ａ，１ｂでは、ＭＰＥＧ方式のような圧縮符号化方式と異なり、単純にフレーム毎のデジタル変換を行う符号化方式が用いられるものとする。
【０１０６】
このように符号化部１ａ，１ｂそれぞれで生成されたデジタルデータがそれぞれパケット処理部２ａ，２ｂに与えられると、ＨＤＴＶ用のＡＶデータに基づくＴＳパケットが生成されてバッファ３ａに格納されるとともに、ＳＤＴＶ用のＡＶデータに基づくＴＳパケットが生成されてバッファ３ｂに格納される。このとき、バッファ３ａに格納されるＴＳパケットＰｋがフレームＦｘのブロックＢｋに対して生成されるものとしたとき、バッファ３ｂにはフレームＦｘのブロックＢｋより生成されるＴＳパケットＰａｋが格納される。
【０１０７】
そして、変調処理部４ａでは、バッファ３ａから順番に読み出したＴＳパケットを多重化して誤り訂正符号化又は誤り訂正検出符号化した後、所定の変調方式に従って変調してチャンネル周波数ｆａの高周波信号を生成し、アンテナ１１０ａより放送信号として送信する。又、変調処理部４ｂでは、バッファ３ｂより変調処理部４ａと異なる順番で読み出したＴＳパケットを多重化して誤り訂正符号化又は誤り訂正検出符号化した後、所定の変調方式に従って変調してチャンネル周波数ｆｂの高周波信号を生成し、アンテナ１１０ｂより放送信号として送信する。
【０１０８】
又、本実施形態の受信装置１０１は、図１４に示すように、図３の構成に、バッファ１４ｂに格納されているＴＳパケットを読み出してバッファ１４ａと同一の形式のＴＳパケットに変換して合成部１５に与えるデータ変換部２０が付加された構成となる。即ち、上述のように、放送局１００よりＨＤＴＶ用及びＳＤＴＶ用それぞれのＡＶデータより成る放送信号が送信されるとき、バッファ１４ａにはＨＤＴＶ用のＴＳパケットが格納され、バッファ１４ｂにはＳＤＴＶ用のＴＳパケットが格納される。
【０１０９】
そして、バッファ１４ｂに格納されたＳＤＴＶ用のＴＳパケットがデータ変換部２０によって読み出されて、ＨＤＴＶ用のＴＳパケットに変換されて合成部１５に与えられる。よって、合成部１５では、バッファ１４ａより読み出したＨＤＴＶ用のＴＳパケットをデータ変換部２０からのＴＳパケットにより補填する。このようにして合成部１５で得られたＴＳパケットがパケット処理部１６でデジタルデータに変化された後、復号化部１７で復号化されてＡＶデータが得られる。このＡＶデータが出力部１８に与えられることで、映像及び音声が再生出力される。
【０１１０】
このように構成されるときの放送信号の送信動作及び受信動作の詳細について、図１５のタイミングチャートを参照して以下に説明する。放送局１００では、パケット処理部２ａにおいて、ＨＤＴＶ用のＡＶデータにおけるブロックＢ１，Ｂ２，Ｂ３，…，Ｂｎ＋１，Ｂｎ＋２，Ｂｎ＋３，…それぞれに対して、図１５（ａ）のように、ＴＳパケットＰ１，Ｐ２，Ｐ３，…，Ｐｎ＋１，Ｐｎ＋２，Ｐｎ＋３，…が生成されて、バッファ３ａに格納される。又、パケット処理部２ｂにおいて、ＳＤＴＶ用のＡＶデータにおけるブロックＢ１，Ｂ２，Ｂ３，…，Ｂｎ＋１，Ｂｎ＋２，Ｂｎ＋３，…それぞれに対して、図１５（ｂ）のように、ＴＳパケットＰａ１，Ｐａ２，Ｐａ３，…，Ｐａｎ＋１，Ｐａｎ＋２，Ｐａｎ＋３，…が生成されて、バッファ３ｂに格納される。
【０１１１】
そして、変調処理部４ａが、図１５（ｃ）のように、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ３ａに格納されたＴＳパケットを読み出して、チャンネル周波数ｆａによる高周波信号を生成し、アンテナ１１０ａより送信する。又、変調処理部４ｂが、図１５（ｄ）のように、Ｐａ４，Ｐａ５，Ｐａ６，Ｐａ１，Ｐａ２，Ｐａ３，…，Ｐａｎ＋４，Ｐａｎ＋５，Ｐａｎ＋６，Ｐａｎ＋１，Ｐａｎ＋２，Ｐａｎ＋３，…の順で、バッファ３ｂに格納されたＴＳパケットを読み出して、チャンネル周波数ｆｂによる高周波信号を生成し、アンテナ１１０ｂより送信する。
【０１１２】
このようにして、チャンネル周波数ｆａ，ｆｂによる高周波信号となる放送信号が送信されると、受信装置１０１において受信され、バッファ１４ａに、図１５（ｃ）のような順でＴＳパケットＰ１，Ｐ２，Ｐ３，Ｐ４，Ｐ５，Ｐ６，…が格納されるとともに、バッファ１４ｂに、図１５（ｄ）のような順でＴＳパケットＰａ４，Ｐａ５，Ｐａ６，Ｐａ１，Ｐａ２，Ｐａ３，…が格納される。そして、図１５（ｃ）、（ｄ）のように、期間Ｔにおいて通信路状態が悪化し、チャンネル周波数ｆａについてはＴＳパケットＰ２，Ｐ３が、チャンネル周波数ｆｂについてはＴＳパケットＰａ５，Ｐａ６が、それぞれ正常に受信されなかったものとする。
【０１１３】
このとき、合成部１５では、バッファ１４ａに格納されたＴＳパケットの内、ＴＳパケットＰ２，Ｐ３が正常に受信できなかったことを確認する。よって、データ変換部２０によってバッファ１４ｂに格納されたＴＳパケットＰ２，Ｐ３と同一のブロックＢ２，Ｂ３より生成されたＴＳパケットＰａ２，Ｐａ３が読み出される。そして、このバッファ１４ｂから読み出したＴＳパケットＰａ２，Ｐａ３を、データ変換部２０によって、ＨＤＴＶ用のＴＳパケットＰｂ２，Ｐｂ３に変換する。このときデータのない走査線部分を補間処理などを行うことでデータ変換処理が行われる。
【０１１４】
このように変換されたＴＳパケットＰｂ２，Ｐｂ３を、合成部１５において、バッファ１４ａから読み出された正常に受信されたＴＳパケットに組み込むことで、図１５（ｅ）のように合成する。よって、正常に受信されたＴＳパケットＰ１，Ｐｂ２，Ｐｂ３，Ｐ４，Ｐ５，Ｐ６，…が順番に、合成部１５からパケット処理部１６に与えられることで、パケット処理部１６及び復号化部１７で復号化されて、出力部１８で映像及び音声が再生出力される。
【０１１５】
尚、本実施形態において、第１の実施形態の図４の例に準じた動作が行われるものとしたが、図５〜図７の例に準じた動作が行われるものとしても構わない。又、データ変換されて得たＴＳパケットについて、生成された順に送信されるものとしても構わない。更に、ＴＳパケットの順番が異なる放送信号を送信する通信路を異なる無線通信路によるものとしても構わないし、図９のように、ＴＳパケットの順番が異なる２つの放送信号を放送局１００が生成して、一方の放送信号を無線通信路より送信するとともに、他方の放送信号をインターネット１２０を介したケーブル線や光ファイバやＤＳＬなどの有線通信路によって送信するものとしても構わない。又、受信装置１００において、データ量の多いＴＳパケットを基準として再生動作を行うものとしたが、データ量の少ないＴＳパケットを基準として再生動作を行うものとしても構わない。
【０１１６】
更に、本実施形態においては、ＴＳパケットの順番の異なるチャンネル周波数ｆａ，ｆｂの２つの放送信号によって送信されるものとしたが、ＴＳパケットの順番の異なる３つ以上の放送信号をそれぞれ異なるチャンネル周波数又は異なる通信路を用いて送信するものとしても構わない。このとき送信される放送信号として、３つの異なる放送信号が送信される例を図１６に示す。このとき、放送局１００が図１３の構成に更にデータ変換部及び符号化部及びパケット処理部及びバッファ及び変調処理部及びアンテナが１つずつ付加された構成となるとともに、受信装置１０１が図１４の構成に更にアンテナ及びチューナ部及び復調部及びバッファ及びデータ変換部が１つずつ付加された構成となる。
【０１１７】
そして、放送局１００より、図１６（ａ）のようにＰ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で読み出されたＨＤＴＶ用のＴＳパケットによる放送信号がチャンネル周波数ｆａで送信され、図１６（ｂ）のようにＰａ４，Ｐａ５，Ｐａ６，Ｐａ１，Ｐａ２，Ｐａ３，…，Ｐａｎ＋４，Ｐａｎ＋５，Ｐａｎ＋６，Ｐａｎ＋１，Ｐａｎ＋２，Ｐａｎ＋３，…の順で読み出されたＳＤＴＶ用のＴＳパケットによる放送信号がチャンネル周波数ｆｂで送信され、図１６（ｃ）のようにＰｃ４−ｎ，Ｐｃ５−ｎ，Ｐｃ６−ｎ，Ｐｃ１−ｎ，Ｐｃ２−ｎ，Ｐｃ３−ｎ，…，Ｐｃ４，Ｐｃ５，Ｐｃ６，Ｐｃ１，Ｐｃ２，Ｐｃ３，…の順で読み出された携帯電話用のＴＳパケットによる放送信号がチャンネル周波数ｆｃで送信される。
【０１１８】
このような３つの放送信号が受信装置１０１で受信されると、チャンネル周波数ｆａによる放送信号を基準としたとき、通信路に異常が発生した期間Ｔにおいて送信されるＴＳパケットＰ２，Ｐ３がチャンネル周波数ｆｂの放送信号によって補填される場合、図１６（ｄ）のようなＴＳパケットＰ１，Ｐｂ２，Ｐｂ３，Ｐ４，Ｐ５，Ｐ６，…が得られる。又、通信路に異常が発生した期間Ｔにおいて送信されるＴＳパケットＰ２，Ｐ３がチャンネル周波数ｆｃの放送信号によって補填される場合、図１６（ｅ）のようなＴＳパケットＰ１，Ｐｄ２，Ｐｄ３，Ｐ４，Ｐ５，Ｐ６，…が得られる。尚、チャンネル周波数ｆｂ、ｆｃによる放送信号を基準として、他の放送信号より得られるＴＳパケットを変換して補填処理を行うものとしても構わない。即ち、例えば、チャンネル周波数ｆｂの放送信号が、周波数ｆｃの放送信号のＴＳパケットにより補填された周波数ｆｂの放送信号におけるＴＳパケットにより補填され、図１６（ｆ）のようなＴＳパケットＰａ４，Ｐｅ５，Ｐｅ６，Ｐａ１，Ｐａ２，Ｐｄａ，…が得られるものとしても構わない。
【０１１９】
更に、第２の実施形態と同様、中継局１０２による送信動作が行われることで、複数の放送信号が送信されるものとしても構わない。このとき、中継局１０２が、図１７のように、図１１の構成に、復調部２３で得られたＴＳパケットをチューナ部２２で受信した放送信号に対するものと異なる方式のＴＳパケットに変換するデータ変換部２７が付加された構成とされる。よって、放送局１００より図１５（ｃ）のような順番のＨＤＴＶ用のＴＳパケットによる放送信号がチャンネル周波数ｆａで送信されているとき、中継局１０２では、このチャンネル周波数ｆａによる放送信号をチューナ部２２で選局する。そして、復調部２３でＨＤＴＶ用のＴＳパケットを生成すると、データ変換部２７でＳＤＴＶ用のＴＳパケットに変換してバッファ２４に格納する。そして、バッファ２４に格納されたＳＤＴＶ用のＴＳパケットを、図１５（ｄ）のような順番で変調処理部２５で読み出すと、アンテナ２６よりチャンネル周波数ｆｂによる放送信号として送信する。
【０１２０】
又、本実施形態において、データ変換部５においてＡＶデータのデータ変換が行われるものとしたが、符号化部１ａ，１ｂに与えられるＡＶデータを同一のものとするとともに、符号化部１ａ，１ｂにおいて圧縮率の異なる圧縮符号化が成されるものとしても構わない。このとき、受信装置１０２のデータ変換部２０では、得られたＴＳパケットの圧縮率を変化させることでデータ変換を行う。
【０１２１】
＜第４の実施形態＞
本発明の第４の実施形態について、図面を参照して説明する。図１８は、本実施形態における放送局の内部構成を示すブロック図であり、図２０は、本実施形態における受信装置の内部構成を示すブロック図である。尚、本実施形態では、第３の実施形態と同様、図１のような構成の放送通信システムが構成されている。
【０１２２】
本実施形態の放送局１００は、図１８に示すように、図１３の構成に、変調処理部４ｂによるバッファ３ａ，３ｂからの読み出しを切り換えるスイッチＳＷ１と、符号化部１ｂ及びパケット処理部２ｂ及びバッファ３ｂ及び変調処理部４ｂ及びデータ変換部５及びスイッチＳＷ１の動作制御を行う制御部６と、アンテナ１１０ｂと接続されて使用されているチャンネル周波数を確認する使用チャンネル確認部７と、を付加した構成である。このように構成されるとき、図１３と同様の構成については、第３の実施形態において説明した動作と同様の動作を行うため、その詳細な説明は省略する。
【０１２３】
このように構成される放送局１００は、第３の実施形態における放送局１００（図１３）と異なり、複数のチャンネル周波数を使用して放送信号が送信可能であるか否かが確認され、各ブロックの動作が制御される。このときの動作について、図１９のフローチャートを参照して以下に説明する。図１９は、放送局１００における放送信号の送信動作を示すフローチャートである。
【０１２４】
まず、使用チャンネル確認部７において、チャンネル周波数を切り換えてアンテナ１１０ｂを介する受信動作を行い、受信信号が存在するか否かが各チャンネル毎に確認されることで、空きチャンネルが検索される（ＳＴＥＰ１）。そして、使用チャンネル確認部７の検索結果より、変調処理部４ａにより生成されてアンテナ１１０ａより送信されている放送信号に使用されるチャンネル周波数ｆａと同等以上の周波数帯域の空きチャンネルが存在するか否かが制御部６で確認される（ＳＴＥＰ２）。
【０１２５】
このとき、チャンネル周波数ｆａと同等以上の周波数帯域の空きチャンネルが確認されなかったとき（Ｎｏ）、使用チャンネル確認部７の検索結果より、チャンネル周波数ｆａよりも狭い周波数帯域の空きチャンネルが存在するか否かが制御部６で確認される（ＳＴＥＰ３）。又、ＳＴＥＰ２において、チャンネル周波数ｆａと同等以上の周波数帯域の空きチャンネルが確認されたとき（Ｙｅｓ）、複数のチャンネル周波数での送信が許可されているか否かが確認される（ＳＴＥＰ４）。
【０１２６】
そして、複数のチャンネル周波数での送信が許可されている場合（Ｙｅｓ）、制御部６によって、スイッチＳＷ１がバッファ３ａと変調処理部４ｂとの間を接続するように切り換えられるとともに、変調処理部４ｂがＳＴＥＰ１で検索された空きチャンネルのチャンネル周波数によって放送信号を生成するように設定される（ＳＴＥＰ５）。このとき、ＳＴＥＰ１でチャンネル周波数ｆｂとなる空きチャンネルが確認された場合、第１の実施形態と同様の動作を変調処理部４ｂが行うことで、例えば、図４（ｃ）のような順番でＴＳパケットをバッファ３ａより読み出して変調して放送信号を生成した後、アンテナ１１０ｂより送信する。尚、制御部６によって、符号化部１ｂ及びパケット処理部２ｂ及びバッファ３ｂ及びデータ変換部５はＯＦＦとされる。
【０１２７】
このような２つの放送信号の送信動作を開始すると、変調処理部４ａにおいて、ＳＴＥＰ１で確認されたチャンネル周波数による放送信号を送信することを示す追加情報を、変調して生成した放送信号に付加して、アンテナ１１０ａよりチャンネル周波数ｆａを介して送信する（ＳＴＥＰ６）。このとき、ＳＴＥＰ５で、チャンネル周波数ｆｂを用いて、チャンネル周波数ｆａの放送信号と同様のＨＤＴＶ用のＴＳパケットを用いた放送信号が送信される場合、ＳＴＥＰ６の追加情報として、送信に用いられるチャンネル周波数ｆｂであるとともにＨＤＴＶ用のＴＳパケットによる放送信号が送信されることを示す情報が与えられる。
【０１２８】
又、ＳＴＥＰ３において、チャンネル周波数ｆａよりも狭い周波数帯域の空きチャンネルが確認されたとき（Ｙｅｓ）、複数のチャンネル周波数での送信が許可されているか否かが確認される（ＳＴＥＰ７）。そして、複数のチャンネル周波数での送信が許可されている場合（Ｙｅｓ）、制御部６によって、符号化部１ｂ及びパケット処理部２ｂ及びバッファ３ｂ及び変調処理部４ｂ及びデータ変換部５がＯＮとされるとともにスイッチＳＷ１がバッファ３ｂと変調処理部４ｂとの間を接続するように切り換えられる（ＳＴＥＰ８）。そして、変調処理部４ｂがＳＴＥＰ１で検索された空きチャンネルのチャンネル周波数によって放送信号を生成するように設定される。このとき、ＳＴＥＰ１でチャンネル周波数ｆｂとなる空きチャンネルが確認された場合、第３の実施形態と同様の動作を変調処理部４ｂが行うことで、例えば、図１５（ｄ）のような順番でＴＳパケットをバッファ３ｂより読み出して変調して放送信号を生成した後、アンテナ１１０ｂより送信する。
【０１２９】
このような２つの放送信号の送信動作を開始すると、変調処理部４ａにおいて、ＳＴＥＰ１で確認されたチャンネル周波数による放送信号を送信することを示す追加情報を、変調して生成した放送信号に付加して、アンテナ１１０ａよりチャンネル周波数ｆａを介して送信する（ＳＴＥＰ９）。このとき、ＳＴＥＰ８で、チャンネル周波数ｆｂを用いて、チャンネル周波数ｆａの放送信号と異なるＳＤＴＶ用のＴＳパケットを用いた放送信号が送信される場合、ＳＴＥＰ９の追加情報として、送信に用いられるチャンネル周波数ｆｂであるとともにＳＤＴＶ用のＴＳパケットによる放送信号が送信されることを示す情報が与えられる。
【０１３０】
又、ＳＴＥＰ２及びＳＴＥＰ３の両方で空きチャンネルが確認されなかったとき（Ｎｏ）、又は、ＳＴＥＰ４又はＳＴＥＰ７において複数の放送信号における送信が許可されていない場合（Ｎｏ）、制御部６によって、符号化部１ｂ及びパケット処理部２ｂ及びバッファ３ｂ及び変調処理部４ｂ及びデータ変換部５をＯＦＦのままとして、変調処理部４ａで生成されるチャンネル周波数ｆａによる放送信号のみによる送信動作を行う（ＳＴＥＰ１０）。又、ＳＴＥＰ６又はＳＴＥＰ９のように追加情報を付加したチャンネル周波数ｆａの放送信号が送信されると、アンテナ１１０ａ，１１０ｂにより２つのチャンネル周波数を用いたＴＳパケットの順番の異なる２つの放送信号の送信動作が行われる（ＳＴＥＰ１１）。
【０１３１】
又、本実施形態の受信装置１０１は、図２０に示すように、図１４の構成に、バッファ１４ｂとデータ変換部２０及び合成部１５との間の接続を切り換えるスイッチＳＷ２と、復調部１３ａで復調された放送信号より追加情報を確認する追加情報確認部３０と、を付加した構成である。このように構成されるとき、図１４と同様の構成については、第３の実施形態において説明した動作と同様の動作を行うため、その詳細な説明は省略する。
【０１３２】
このように構成される受信装置１０１は、第３の実施形態における受信装置１０１（図１４）と異なり、複数のチャンネル周波数を使用して放送信号が送信されているか否かが確認され、各ブロックの動作が制御される。このときの動作について、図２１のフローチャートを参照して以下に説明する。図２１は、受信装置１０１における放送信号の受信動作を示すフローチャートである。
【０１３３】
まず、チューナ部１２ａによってチャンネル周波数ｆａによる選局を行って受信動作を確認すると、復調部１３ａで放送信号が復調されたとき、追加情報の存否を確認するために追加情報の収集動作が追加情報確認部３０によって行われる（ＳＴＥＰ１０１）。そして、追加情報確認部３０による収集動作によって、チャンネル周波数ｆａにより送信される放送信号を構成するＴＳパケットと同一のデータサイズのＴＳパケットにより構成される放送信号を追加で送信していることを示す追加情報が得られたか否かが確認される（ＳＴＥＰ１０２）。
【０１３４】
このとき、チャンネル周波数ｆａにより送信される放送信号を構成するＴＳパケットと同一のデータサイズのＴＳパケットにより構成される放送信号の追加送信が確認されなかったとき（Ｎｏ）、チャンネル周波数ｆａにより送信される放送信号を構成するＴＳパケットと異なるデータサイズのＴＳパケットにより構成される放送信号を追加で送信していることを示す追加情報が得られたか否かが確認される（ＳＴＥＰ１０３）。
【０１３５】
又、ＳＴＥＰ１０２において、チャンネル周波数ｆａにより送信される放送信号を構成するＴＳパケットと同一のデータサイズのＴＳパケットにより構成される放送信号の追加送信が確認されたとき（Ｙｅｓ）、制御部１９によってチューナ部１２ｂ及び復調部１３ｂ及びバッファ１４ｂをＯＮとするとともに、スイッチＳＷ２によってバッファ１４ｂと合成部１５との間が接続され、２つの放送信号による受信動作を開始する（ＳＴＥＰ１０４）。このとき、チューナ部１２ｂは、追加情報確認部３０によって確認された追加送信されている放送信号のチャンネル周波数で選局を行うように、制御部１９によって設定される。このように必要な場合のみ対応する回路を駆動するので、無駄な電力消費をなくすことができる。
【０１３６】
即ち、例えば、放送局１００より、図４（ｂ）、（ｃ）のような順となるＨＤＴＶ用のＴＳパケットで構成される放送信号がそれぞれ、チャンネル周波数ｆａ，ｆｂより送信されるとき、チューナ部１２ｂがＯＮとされて、第１の実施形態と同様、チャンネル周波数ｆｂによる選局動作を行う。そして、復調部１３ｂによって復調されて得たＨＤＴＶ用のＴＳパケットがバッファ１４ｂに格納される。よって、合成部１５において、復調部１３ａで復調されてバッファ１４ａに格納されたＴＳパケットに異常が確認されたとき、バッファ１４ｂから異常を確認したＴＳパケットと同じＴＳパケットをスイッチＳＷ２を介して読み出して、第１の実施形態と同様の合成動作を行う。
【０１３７】
又、ＳＴＥＰ１０３において、チャンネル周波数ｆａにより送信される放送信号を構成するＴＳパケットと異なるデータサイズのＴＳパケットにより構成される放送信号の追加送信が確認されたとき（Ｙｅｓ）、制御部１９によってチューナ部１２ｂ及び復調部１３ｂ及びバッファ１４ｂ及びデータ変換部２０をＯＮとするとともに、スイッチＳＷ２によってバッファ１４ｂとのデータ変換部２０と間が接続され、２つの放送信号による受信動作を開始する（ＳＴＥＰ１０５）。このとき、チューナ部１２ｂは、追加情報確認部３０によって確認された追加送信されている放送信号のチャンネル周波数で選局を行うように、制御部１９によって設定される。
【０１３８】
即ち、例えば、放送局１００より、図１５（ｃ）のような順となるＨＤＴＶ用のＴＳパケットで構成される放送信号と図１５（ｄ）のような順となるＳＤＴＶ用のＴＳパケットで構成される放送信号とがそれぞれ、チャンネル周波数ｆａ，ｆｂより送信されるとき、チューナ部１２ｂがＯＮとされて、第３の実施形態と同様、チャンネル周波数ｆｂによる選局動作を行う。そして、復調部１３ｂによって復調されて得たＳＤＴＶ用のＴＳパケットがバッファ１４ｂに格納される。よって、合成部１５において、復調部１３ａで復調されてバッファ１４ａに格納されたＴＳパケットに異常が確認されたとき、バッファ１４ｂから異常を確認したＴＳパケットと同じブロックのＴＳパケットがスイッチＳＷ２を介してデータ変換部２０によって読み出されてデータ変換される。そして、このデータ変換部２０でデータ変換されたＴＳパケットが合成部１５に与えられ、第３の実施形態と同様の合成動作を行う。
【０１３９】
又、ＳＴＥＰ１０２及びＳＴＥＰ１０３の両方において、追加情報が確認されなかったとき、放送局１００からは１つの放送信号しか送信されていないことが確認されるため、御部１９によってチューナ部１２ｂ及び復調部１３ｂ及びバッファ１４ｂ及びデータ変換部２０をＯＦＦのままとして１つの放送信号に対する受信動作を行う（ＳＴＥＰ１０６）。即ち、チューナ部１２ａ及び復調部１３ａ及びバッファ１４ａのみを動作させることで、チャンネル周波数ｆａにおける放送信号の受信動作のみを行う。
【０１４０】
尚、本実施形態において、チャンネル周波数ｆａ及びチャンネル周波数ｆａと異なるチャンネル周波数によって送信される放送信号が、図４又は図１５に示す順番のＴＳパケットによるものとしたが、このようなＴＳパケットの順番に限らず、互いに順番が異なるものであれば、第１及び第３の実施形態で説明した別の順番を用いるものとしても構わない。又、第１及び第３の実施形態で説明したように、複数の放送信号を送信する際、チャンネル周波数だけでなく異なる無線通信路により送信するものとしても構わないし、又、有線通信路を含む異なる通信路により送信するものとしても構わない。更に、第１及び第３の実施形態で説明したように、３つ以上のＴＳパケットの順番が異なる放送信号を、３つ以上の異なる通信路又はチャンネル周波数で送信するものとしても構わない。
【０１４１】
又、本実施形態において、第２の実施形態のように中継局１０２を用いて、この中継局１０２により送信可能なチャンネル周波数が確認されたとき、放送局１００より送信される放送信号と異なる順番のＴＳパケットによる放送信号が送信されるものとしても構わない。このとき、中継局１０２より放送局１００に対して、追加情報の放送信号への追加要求を行うことで、放送局１００より追加情報が与えられた放送信号をチャンネル周波数ｆａを介して送信する。
【０１４２】
＜第５の実施形態＞
本発明の第５の実施形態について、図面を参照して説明する。図２２は、本実施形態における通信システムの構成を示すブロック図である。又、図２３は、本実施形態における放送局の内部構成を示すブロック図であり、図２４は、本実施形態における受信装置の内部構成を示すブロック図である。
【０１４３】
図２２の通信システムは、第１の実施形態における通信システム（図１）と異なり、放送局１００はアンテナ１１０を１つのみ使用して放送信号を送信する通信システムである。本実施形態においても、第１の実施形態と同様、ＴＳパケットの順番の異なる複数の放送信号が放送局１００より送信される。このとき、１つの放送信号のみが送信されるときに、この放送信号が送信されるチャンネル周波数における空き帯域が使用されて、他の複数の放送信号が送信される。即ち、複数の放送信号が１つのチャンネル周波数を用いて時分割されて送信される。
【０１４４】
このような通信システムにおける放送局１００は、図２３に示すように、図２の構成から変調処理部４ｂ及びアンテナ１１０ｂが除去された構成となる。又、受信装置１０１は、図２４に示すように、図３の構成からアンテナ１１ｂ及びチューナ部１２ｂ及び復調部１３ｂが除去された構成となる。このようにして、放送局１００及び受信装置１０１が構成されるときの放送信号の送受信動作について、図２５のタイミングチャートに従って説明する。図２５は、本実施形態における送信される放送信号の一例及びこの放送信号による送受信動作を示すタイミングチャートである。
【０１４５】
第１の実施形態と同様、放送局１００において、パケット処理部２で、図２５（ａ）のように、時系列順にＴＳパケットＰ１，Ｐ２，Ｐ３，…，Ｐｎ＋１，Ｐｎ＋２，Ｐｎ＋３，…が生成されて、バッファ３に格納される。このようにして生成されたＴＳパケットがバッファ３に格納されると、バッファ３に格納されたＴＳパケットが変調処理部４ａによって読み出されて、時分割された２つの高周波信号が生成される。
【０１４６】
このとき、変調処理部４ａは、図２５（ｂ）のように、周期ｔ毎に、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ３よりＴＳパケットを読み出す。又、変調処理部４ａは、図２５（ｂ）のような順でＴＳパケットを読み出す時間から時間ｔｋ分遅延させて、図２５（ｃ）のように、Ｐ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で、バッファ３に格納されたＴＳパケットを読み出す。即ち、変調処理部４ａにおいて、図２５（ｂ）の順で読み出されるＴＳパケットの放送信号と、図２５（ｃ）の順で読み出されるＴＳパケットの放送信号とを、周期ｔで時分割する。
【０１４７】
よって、図２５（ｄ）のように、ＴＳパケットＰ１，Ｐ４，Ｐ２，Ｐ５，Ｐ３，Ｐ６，Ｐ４，Ｐ１，Ｐ５，Ｐ２，Ｐ６，Ｐ３，…，Ｐｎ＋１，Ｐｎ＋４，Ｐｎ＋２，Ｐｎ＋５，Ｐｎ＋３，Ｐｎ＋６，Ｐｎ＋４，Ｐｎ＋１，Ｐｎ＋５，Ｐｎ＋２，Ｐｎ＋６，Ｐｎ＋３，…となる放送信号を、アンテナ１１０ａよりチャンネル周波数ｆａによって送信する。このとき、第１の実施形態と同様、期間Ｔにおいて、通信路状態が悪化し、図２５（ｂ）の順で読み出されたＴＳパケットＰ２，Ｐ３と、図２５（ｃ）の順で読み出されたＴＳパケットＰ５，Ｐ６が、それぞれ正常に受信されなかったものとする。
【０１４８】
このようにして、チャンネル周波数ｆａによる高周波信号となる放送信号がアンテナ１１０ａより送信されると、受信装置１０１において、アンテナ１１ａで受信される。そして、チューナ部１２ａにおいてチャンネル周波数ｆａの放送信号が選局され、復調部１３ａで復調処理が行われて得られたＴＳパケットが、図２５（ｅ）のように、Ｐ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で、バッファ１４ａに出力されて格納されるとともに、図２５（ｆ）のように、Ｐ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で、バッファ１４ｂに出力されて格納される。
【０１４９】
そして、合成部１５によって、バッファ１４ａに格納されたＴＳパケットＰ１，Ｐ２，Ｐ３，Ｐ４，Ｐ５，Ｐ６，…を順に読み出したとき、バッファ１４ａに格納されたＴＳパケットの内、ＴＳパケットＰ２，Ｐ３が正常に受信できなかったことを確認する。このようにバッファ１４ａより順番に読み出したＴＳパケットの内、正常に受信されなかったＴＳパケットが確認されると、この正常に受信されなかったＴＳパケットに相当するＴＳパケットをバッファ１４ｂより読み出して、バッファ１４ａから読み出された正常に受信されたＴＳパケットに組み込むことで、合成する。
【０１５０】
即ち、合成部１５では、バッファ１４ｂより正常に受信されて再生されたＴＳパケットＰ２，Ｐ３を読み出して、バッファ１４ａより読み出したＴＳパケットＰ１，Ｐ４の間の位置に組み込むことで図２５（ｇ）のように合成する。そして、合成部１５で合成された図２５（ｇ）のようなＴＳパケットＰ１，Ｐ２，Ｐ３，Ｐ４，Ｐ５，Ｐ６，…が順番に、パケット処理部１６に与えられてＥＳを生成する。そして、復号化部１７において、ＭＰＥＧ方式などに従ってＥＳの復号化を行うことでＡＶデータを生成し、出力部１８で映像及び音声を再生出力する。
【０１５１】
尚、本実施形態において、図４に準じた図２５のような順番で同一のＴＳパケットより成る２つの放送信号を時分割して送信するものとしたが、図５〜図７に準じた順番で生成される２つの放送信号を時分割して送信するものとしても構わない。又、第２の実施形態と同様に、中継局１０２を備え、中継局１０２によって空き帯域を用いて時分割した放送信号を送信することで、複数の放送信号が送信されるものとしても構わない。
【０１５２】
更に、１つの周期を３つ以上に分割し、３つの放送信号を時分割した放送信号を送信するものとしても構わない。このとき、図２６のように、放送局１００において、図２６（ａ）のようにＰ１，Ｐ２，Ｐ３，Ｐ４，Ｐ５，Ｐ６，…，Ｐｎ＋１，Ｐｎ＋２，Ｐｎ＋３，Ｐｎ＋４，Ｐｎ＋５，Ｐｎ＋６，…の順で読み出されたＴＳパケットによる放送信号と、図２６（ｂ）のようにＰ４，Ｐ５，Ｐ６，Ｐ１，Ｐ２，Ｐ３，…，Ｐｎ＋４，Ｐｎ＋５，Ｐｎ＋６，Ｐｎ＋１，Ｐｎ＋２，Ｐｎ＋３，…の順で読み出されたＴＳパケットによる放送信号と、図２６（ｃ）のようにＰ４−ｎ，Ｐ５−ｎ，Ｐ６−ｎ，Ｐ１−ｎ，Ｐ２−ｎ，Ｐ３−ｎ，…，Ｐ４，Ｐ５，Ｐ６，Ｐ１，Ｐ２，Ｐ３，…の順で読み出されたＴＳパケットによる放送信号とが時分割される。
【０１５３】
よって、図２６（ｄ）のように、ＴＳパケットの順がＰ１，Ｐ４，Ｐ４−ｎ，Ｐ２，Ｐ５，Ｐ５−ｎ，Ｐ３，Ｐ６，Ｐ６−ｎ，…，Ｐｎ＋１，Ｐｎ＋４，Ｐ４，Ｐｎ＋２，Ｐｎ＋５，Ｐ５，Ｐｎ＋３，Ｐｎ＋６，Ｐ６，…となる放送信号が、チャンネル周波数ｆａで送信される。このように時分割されて送信された３つの放送信号を受信装置１０１が受信すると、図２６（ａ）による放送信号を基準としたとき、図２６（ｂ）、（ｃ）による放送信号のいずれかによって補填され、図２６（ｅ）のようなＴＳパケットＰ１，Ｐ２，Ｐ３，Ｐ４，Ｐ５，Ｐ６，…が得られる。図２６（ｂ）、（ｃ）による放送信号のいずれかを基準とした場合も、他の２つの放送信号のいずれかによって補填されて、正常に受信された放送信号からのＴＳパケットが合成される。
【０１５４】
＜第６の実施形態＞
本発明の第６の実施形態について、図面を参照して説明する。図２７は、本実施形態における放送局の内部構成を示すブロック図であり、図３０は、本実施形態における受信装置の内部構成を示すブロック図である。尚、本実施形態では、第５の実施形態と同様、図２２のような構成の放送通信システムが構成されている。
【０１５５】
本実施形態における放送局１００は、図２７に示すように、図１３の構成から変調処理部４ｂ及びアンテナ１１０ｂが削除されるとともに、アンテナ１１０ａと接続されて空き帯域を確認する帯域確認部８及び制御部６が付加された構成となる。尚、制御部６は、第４の実施形態の放送局１００における制御部６と同様、符号化部１ｂ及びパケット処理部２ｂ及びバッファ３ｂ及び変調処理部４ａ及びデータ変換部５の動作制御を行う。このように構成されるとき、図１３と同様の構成については、第３の実施形態において説明した動作と同様の動作を行うため、その詳細な説明は省略する。
【０１５６】
このように構成される放送局１００は、第５の実施形態における放送局１００（図２３）と異なり、チャンネル周波数の空き帯域を使用して複数の放送信号が送信可能であるか否かが確認され、各ブロックの動作が制御される。このときの動作について、図２８のフローチャートを参照して以下に説明する。図２８は、放送局１００における放送信号の送信動作を示すフローチャートである。
【０１５７】
まず、帯域確認部８において、アンテナ１１０ａより送信する放送信号に用いるチャンネル周波数ｆａに対して、アンテナ１１０ａによって送受信する信号に用いる周波数帯域を確認することで、残りの空き帯域が検索される（ＳＴＥＰ２０１）。そして、帯域確認部８の検索結果より、現在放送信号を送信しているのに使用されている周波数帯域（帯域幅Ａ）と同等以上の帯域幅となる空き帯域が存在するか否かが制御部６で確認される（ＳＴＥＰ２０２）。
【０１５８】
このとき、チャンネル周波数ｆａの空き帯域が使用帯域幅Ａよりも広いことが確認されなかったとき（Ｎｏ）、帯域確認部８の検索結果より、パケット処理部２ｂで生成されたＴＳパケットを送信するのに十分な帯域幅Ｂよりも広い空き帯域が存在するか否かが制御部６で確認される（ＳＴＥＰ２０３）。又、ＳＴＥＰ２０２において、チャンネル周波数ｆａの空き帯域が使用帯域幅Ａよりも広いことが確認されたとき（Ｙｅｓ）、時分割送信が許可されているか否かが確認される（ＳＴＥＰ２０４）。
【０１５９】
そして、時分割送信が許可されている場合（Ｙｅｓ）、制御部６によって、バッファ３ａによって読み出されるＴＳパケットを異なるタイミングで２回送信する時分割送信を行うように変調処理部４ａが設定される（ＳＴＥＰ２０５）。このとき、制御部６によって、符号化部１ｂ及びパケット処理部２ｂ及びバッファ３ｂ及びデータ変換部５はＯＦＦとされる。よって、変調処理部４ａが、第５の実施形態の放送局１００（図２３）における変調処理部４ａと同様の動作を行う。
【０１６０】
即ち、図２５（ａ）のようにして生成されたＴＳパケットがバッファ３ａに格納されているとき、変調処理部４ａによって、図２５（ｂ）のように周期ｔ毎にＴＳパケットＰ１，Ｐ２，Ｐ３，Ｐ４，Ｐ５，Ｐ６，…が順に読み出されて生成される放送信号と、図２５（ｃ）のように周期ｔ毎にＴＳパケットＰ４，Ｐ５，Ｐ６，Ｐ１，Ｐ２，Ｐ３，…が順に読み出されて生成される放送信号とが、時分割されて、チャンネル周波数ｆａにおける１つの放送信号として送信される。よって、アンテナ１１０ａより、図２５（ｄ）のようにＰ１，Ｐ４，Ｐ２，Ｐ５，Ｐ３，Ｐ６，Ｐ４，Ｐ１，Ｐ５，Ｐ２，Ｐ６，Ｐ３，…の順となるＴＳパケットで構成される放送信号が、チャンネル周波数ｆａによって送信される。
【０１６１】
このような２つの放送信号による時分割送信動作を開始すると、変調処理部４ａにおいて、時分割送信を行っていることを示す追加情報を、変調して生成した放送信号に付加して、アンテナ１１０ａよりチャンネル周波数ｆａを介して送信する（ＳＴＥＰ２０６）。このとき、時分割して追加したＴＳパケットが、元の放送信号で得られるＴＳパケットと同一のデータサイズのＴＳパケットであることを示す情報も、追加情報として与えられる。即ち、バッファ３ａに格納されるＴＳパケットがＨＤＴＶ用のＴＳパケットである場合、ＨＤＴＶ用のＴＳパケットによって生成された２つの放送信号による時分割送信を行うことを示す追加情報が付加される。
【０１６２】
又、ＳＴＥＰ２０３において、空き帯域幅が帯域幅Ｂよりも広いことが確認されたとき（Ｙｅｓ）、時分割送信が許可されているか否かが確認される（ＳＴＥＰ２０７）。そして、時分割送信が許可されている場合（Ｙｅｓ）、制御部６によって、符号化部１ｂ及びパケット処理部２ｂ及びバッファ３ｂ及びデータ変換部５がＯＮとされる（ＳＴＥＰ２０８）。このとき、第３の実施形態と同様、データ変換部５でデータ変換されたＡＶデータが符号化部１ｂ及びパケット処理部２ｂに与えられて、パケット処理部２ａで生成されるＴＳパケットよりもデータサイズの小さいＴＳパケットが生成されてバッファ３ｂに格納される。そして、変調処理部４ａによって、バッファ３ａに格納されたデータサイズの大きいＴＳパケットによる放送信号と、バッファ３ｂに格納されたデータサイズの小さいＴＳパケットによる放送信号の時分割が行われる。
【０１６３】
即ち、第３の実施形態と同様、パケット処理部２ａにおいて、ＨＤＴＶ用のＡＶデータにおけるブロックＢ１，Ｂ２，Ｂ３，Ｂ４，Ｂ５，Ｂ６，…それぞれに対して、図２９（ａ）のように、ＴＳパケットＰ１，Ｐ２，Ｐ３，Ｐ４，Ｐ５，Ｐ６，…が生成されて、バッファ３ａに格納される。同様に、パケット処理部２ｂにおいて、ＳＤＴＶ用のＡＶデータにおけるブロックＢ１，Ｂ２，Ｂ３，Ｂ４，Ｂ５，Ｂ６，…それぞれに対して、図２９（ｂ）のように、ＴＳパケットＰａ１，Ｐａ２，Ｐａ３，Ｐａ４，Ｐａ５，Ｐａ６，…が生成されて、バッファ３ｂに格納される。
【０１６４】
そして、変調処理部４ａによって、図２９（ｃ）のように周期ｔ毎にＴＳパケットＰ１，Ｐ２，Ｐ３，Ｐ４，Ｐ５，Ｐ６，…が順に読み出されて生成される放送信号と、図２９（ｄ）のように周期ｔ毎にＴＳパケットＰａ４，Ｐａ５，Ｐａ６，Ｐａ１，Ｐａ２，Ｐａ３，…が順に読み出されて生成される放送信号とが時分割される。このとき、図２９（ｃ）の放送信号を生成するＴＳパケットの読み出す時間に対して、図２９（ｄ）の放送信号を生成するＴＳパケットの読み出す時間を、時間ｔａだけ遅延させる。そして、チャンネル周波数ｆａにおける１つの放送信号として送信する。よって、アンテナ１１０ａより、図２９（ｅ）のようにＰ１，Ｐａ４，Ｐ２，Ｐａ５，Ｐ３，Ｐａ６，Ｐ４，Ｐａ１，Ｐ５，Ｐａ２，Ｐ６，Ｐａ３，…の順となるＴＳパケットで構成される放送信号が、チャンネル周波数ｆａによって送信される。
【０１６５】
このような２つの放送信号による時分割送信動作を開始すると、変調処理部４ａにおいて、時分割送信を行っていることを示す追加情報を、変調して生成した放送信号に付加して、アンテナ１１０ａよりチャンネル周波数ｆａを介して送信する（ＳＴＥＰ２０９）。このとき、時分割して追加したＴＳパケットが、元の放送信号で得られるＴＳパケットよりも小さいデータサイズのＴＳパケットであることを示す情報も、追加情報として与えられる。即ち、図２９の例の場合、バッファ３ａに格納されるＴＳパケットがＨＤＴＶ用のＴＳパケットとＳＤＴＶ用のＴＳパケットとによって生成された２つの放送信号による時分割送信を行うことを示す追加情報が付加される。
【０１６６】
又、ＳＴＥＰ２０２及びＳＴＥＰ２０３の両方で十分に広い空き帯域が確認されなかったとき（Ｎｏ）、又は、ＳＴＥＰ２０４又はＳＴＥ２０７において複数の放送信号における時分割送信が許可されていない場合（Ｎｏ）、制御部６によって、符号化部１ｂ及びパケット処理部２ｂ及びバッファ３ｂ及びデータ変換部５をＯＦＦのままとして、変調処理部４ａで生成されるチャンネル周波数ｆａによる１つの放送信号のみによる送信動作を行う（ＳＴＥＰ２１０）。又、ＳＴＥＰ２０６又はＳＴＥＰ２０９のように追加情報を付加したチャンネル周波数ｆａの放送信号が送信されると、アンテナ１１０ａによりチャンネル周波数ｆａを用いたＴＳパケットの順番の異なる２つの放送信号の時分割送信動作が行われる（ＳＴＥＰ２１１）。
【０１６７】
又、本実施形態の受信装置１０１は、図３０に示すように、図２４の構成に、データ変換部２０と、スイッチＳＷ２と、追加情報確認部３０と、を付加した構成である。尚、データ変換部２０及びスイッチＳＷ２及び追加情報確認部３０は、第４の実施形態の受信装置１０１（図２０）におけるデータ変換部２０と、スイッチＳＷ２と、追加情報確認部３０と同様の動作を行う。このように構成されるとき、図２０及び図２４と同様の構成については、第４及び第５の実施形態において説明した動作と同様の動作を行うため、その詳細な説明は省略する。
【０１６８】
このように構成される受信装置１０１は、第５の実施形態における受信装置１０１（図２４）と異なり、１つのチャンネル周波数に複数の放送信号が時分割されて送信されているか否かが確認され、各ブロックの動作が制御される。このときの動作は、第４の実施形態と同様、図２１のフローチャートを参照して以下に説明する。図３１は、受信装置１０１における放送信号の受信動作を示すフローチャートである。
【０１６９】
まず、チューナ部１２ａによってチャンネル周波数ｆａによる選局を行って受信動作を確認すると、復調部１３ａで放送信号が復調されたとき、追加情報の存否を確認するために追加情報の収集動作が追加情報確認部３０によって行われる（ＳＴＥＰ３０１）。そして、追加情報確認部３０による収集動作によって、チャンネル周波数ｆａにより同一のデータサイズのＴＳパケットによる２つの放送信号による時分割送信を行っていることを示す追加情報が得られたか否かが確認される（ＳＴＥＰ３０２）。
【０１７０】
このとき、同一のデータサイズのＴＳパケットによる２つの放送信号の時分割送信が確認されなかったとき（Ｎｏ）、チャンネル周波数ｆａにより異なるデータサイズのＴＳパケットによる２つの放送信号による時分割送信を行っていることを示す追加情報が得られたか否かが確認される（ＳＴＥＰ３０３）。又、ＳＴＥＰ３０２において、同一データサイズのＴＳパケットによる２つの放送信号の時分割送信が確認されたとき（Ｙｅｓ）、制御部１９によってバッファ１４ｂをＯＮとするとともに、スイッチＳＷ２によってバッファ１４ｂと合成部１５との間が接続される（ＳＴＥＰ３０４）。
【０１７１】
即ち、例えば、放送局１００より、図２５（ｄ）のような順となるＨＤＴＶ用のＴＳパケットで構成される放送信号が、チャンネル周波数ｆａより送信されるとき、第５の実施形態と同様、復調部１３ａによって復調されて得たＨＤＴＶ用のＴＳパケットがバッファ１４ａ，１４ｂそれぞれに格納される。よって、合成部１５において、復調部１３ａで復調されてバッファ１４ａに格納されたＴＳパケットに異常が確認されたとき、バッファ１４ｂから異常を確認したＴＳパケットと同じＴＳパケットをスイッチＳＷ２を介して読み出して、図２５（ｇ）のような第５の実施形態と同様の合成動作を行う。
【０１７２】
又、ＳＴＥＰ３０３において、異なるデータサイズのＴＳパケットによる２つの放送信号の時分割送信が確認されたとき（Ｙｅｓ）、制御部１９によってバッファ１４ｂ及びデータ変換部２０をＯＮとするとともに、スイッチＳＷ２によってバッファ１４ｂとデータ変換部２０との間が接続される（ＳＴＥＰ３０５）。このとき、バッファ１４ｂに格納されたＴＳパケットが読み出されるとき、データ変換部２０でバッファ１４ａに格納されたＴＳパケットと同一データサイズのデータパケットに変換されて合成部１５に与えられる。
【０１７３】
即ち、例えば、放送局１００より、図２９（ｅ）のような順となるＨＤＴＶ用のＴＳパケット及びＳＤＴＶ用のＴＳパケットが交互となるようにして構成される放送信号が、チャンネル周波数ｆａより送信されるとき、チューナ部１２ａが選局して得られた放送信号より、時分割された２つの放送信号が得られる。そして、復調部１３ａによって復調されて得た図２９（ｃ）のようなＨＤＴＶ用のＴＳパケットＰ１，Ｐ２，Ｐ３，Ｐ４，Ｐ５，Ｐ６，…が、バッファ１４ａに格納され、復調部１３ａによって復調されて得た図２９（ｄ）のようなＳＤＴＶ用のＴＳパケットＰａ１，Ｐａ２，Ｐａ３，Ｐａ４，Ｐａ５，Ｐａ６，…がバッファ１４ｂに格納される。
【０１７４】
よって、合成部１５において、復調部１３ａで復調されてバッファ１４ａに格納されたＴＳパケットに異常が確認されたとき、バッファ１４ｂから異常を確認したＴＳパケットと同じブロックのＴＳパケットがデータ変換部２０によって読み出されてデータ変換された後、スイッチＳＷ２を介して合成部１５に与えられ、第３の実施形態と同様の合成動作を行う。即ち、図２９（ｅ）の場合、バッファ１４ａより読み出したＴＳパケットＰ２，Ｐ３に以上が確認されるため、バッファ１４ｂよりこのＴＳパケットＰ２，Ｐ３に応じたＴＳパケットＰａ２，Ｐａ３をデータ変換部２０でＴＳパケットＰｂ２，Ｐｂ３に変換して、合成部１５で合成する。よって、合成部１５では、第３の実施形態と同様、図１５（ｅ）のようなＴＳパケットＰ１，Ｐｂ２，Ｐｂ３，Ｐ４，Ｐ５，Ｐ６，…が得られる。
【０１７５】
又、ＳＴＥＰ３０２及びＳＴＥＰ３０３の両方において、追加情報が確認されなかったとき、放送局１００からは１つの放送信号しか送信されていないことが確認されるため、御部１９によってバッファ１４ｂ及びデータ変換部２０をＯＦＦのままとして１つの放送信号に対する受信動作を行う（ＳＴＥＰ３０６）。即ち、バッファ１４ａのみを動作させることで、チャンネル周波数ｆａにおける放送信号の受信動作のみを行う。
【０１７６】
尚、本実施形態において、時分割送信される放送信号が、図２５又は図２９に示す順番のＴＳパケットによるものとしたが、このようなＴＳパケットの順番に限らず、互いに順番が異なるものであれば、第１及び第３の実施形態で説明した別の順番を用いるものとしても構わない。更に、３つ以上のＴＳパケットの順番が異なる放送信号を時分割送信するものとしても構わない。又、本実施形態において、第２の実施形態のように中継局１０２を用いて、この中継局１０２により送信可能な空き帯域が確認されたとき、放送局１００より送信される放送信号と異なる順番のＴＳパケットによる放送信号を時分割送信するものとしても構わない。このとき、中継局１０２より放送局１００に対して、追加情報の放送信号への追加要求を行うことで、放送局１００より追加情報が与えられた放送信号を送信する。
【０１７７】
更に、放送信号がＭＰＥＧ方式で圧縮符号化されている場合、この放送信号の異なる放送信号として送信する際、その周波数帯域が狭いことを確認すると、Ｉピクチャのみによるデータにより符号化されるものとして、そのデータ量を落とすようにしても構わない。このとき、Ｉピクチャ及びＢピクチャ及びＰピクチャ全てを備える放送信号を受信装置１０１で復号化したときに、この放送信号により得られたＩピクチャに異常が確認されると、もう一方のＩピクチャのみを備える放送信号から得られたＩピクチャにより補填する。このようにして、ＭＰＥＧ方式での復号化を行うときに基準となるＩピクチャの補填を行うことができるため、画像の乱れを押さえることができる。
【０１７８】
又、このように、Ｉピクチャ及びＢピクチャ及びＰピクチャのいずれかを選択して符号化することで、補填を行うための放送信号のデータ量を変化するだけでなく、例えば、コマーシャルの内容を間引いてコンテンツ本体のみのデータによる放送信号など、送信可能な帯域幅に合わせて重要なデータから送信ができるようにしても構わない。
【０１７９】
又、本実施形態において、図２９（ａ）、（ｂ）のように、ＨＤＴＶ用のＴＳパケット及びＳＤＴＶ用のＴＳパケットそれぞれにより成る放送信号とし、受信した２つの放送信号より得られるＴＳパケットを補填することを例示したが、このＨＤＴＶ用の放送信号及びＳＤＴＶ用の放送信号の少なくとも一方が、例えば、第１の実施形態のように単独で補填する複数の放送信号より成り立つものとしても構わない。即ち、例えば、図４（ｂ）、（ｃ）により補填可能な放送信号のうちの図４（ｂ）の放送信号が、図２９（ａ）のＨＤＴＶ用の放送信号として用いられる。又、図２９（ａ）、（ｂ）のようなＨＤＴＶ用の放送信号及びＳＤＴＶ用の放送信号それぞれが単体で受信可能な放送信号であっても構わない。更に、このＨＤＴＶ用の放送信号及びＳＤＴＶ用の放送信号に、携帯端末用などのＳＤＴＶよりも更に低解像度用の放送信号を加えて、ＳＤＴＢ用の放送信号を補填するものとし使用しても構わない。この低解像度用の放送信号が、単体で受信可能な放送信号として放送されるものであっても構わない。
【０１８０】
このように、複数の放送信号それぞれが、単独で受信可能であるもので補填を行うようにすることで、補填用の放送信号専用の帯域を設置して、その帯域を消費することなく実施することが可能となる。
【０１８１】
＜第７の実施形態＞
本発明の第７の実施形態について、図面を参照して説明する。図３２は、本実施形態における放送局の内部構成を示すブロック図であり、図３３は、本実施形態における受信装置の内部構成を示すブロック図である。尚、本実施形態では、第１及び第３の実施形態と同様、図１のような構成の放送通信システムが構成されている。
【０１８２】
本実施形態の放送局１００は、図３２に示すように、図１３の構成における符号化部１ａ，１ｂの代わりに符号化部１が設けられるとともに、パケット処理部２ａ，２ｂの代わりに、符号化部１で符号化されたＥＳをパケット化してＰＥＳを生成するパケット処理部２ｘと、パケット処理部２ｘからのＰＥＳを一時的に格納するバッファ２ｍと、バッファ２ｍに格納されたＰＥＳよりＴＳパケットを生成するパケット処理部２ｙ，２ｚと、を備える。
【０１８３】
このように構成される放送局１００において、ＡＶソースから与えられたＡＶデータが符号化部１でＭＰＥＧ方式などの符号化方式により符号化されると、符号化されて得られたＥＳが、パケット処理部２ｘに与えられてパケット化されてＰＥＳが生成された後、バッファ２ｍに格納される。そして、バッファ２ｍに格納されたＰＥＳが、パケット処理部２ｙ，２ｚそれぞれによって異なる順番で読み出された後、異なるＰＥＳによって生成されるＴＳパケットが生成される。
【０１８４】
このパケット処理部２ｙ，２ｚそれぞれで生成されたＴＳパケットが、バッファ３ａ，３ｂに与えられて一時的に格納された後、変調処理部４ａ，４ｂそれぞれで変調処理が成されて、アンテナ１１０ａ，１１０ｂよりチャンネル周波数ｆａ，ｆｂの放送信号として送信される。このとき、パケット処理部２ｙ，２ｚにおいて、バッファ２ｍより読み出すＰＥＳの組合せを異なるものとして異なるＴＳパケットを生成する。よって、受信装置１０１では、パケット処理部２ｙ，２ｓで生成されたＴＳパケットによって復号化されて得られるＥＳが異なるものとなるため、得られるフレーム又はフレームを構成するブロックが異なるものとなる。
【０１８５】
又、本実施形態における受信装置１０１は、図３３に示すように、図３の構成のパケット処理部１６及び復号化部１７の代わりにパケット処理部１６ａ，１６ｂ及び復号化部１７ａ，１７ｂを備える。又、復号化部１７ａ，１７ｂそれぞれにバッファ１４ａ，１４ｂが接続されて、復号化部１７ａ，１７ｂで復号化されて得られたデータがバッファ１４ａ，１４ｂに与えられる。更に、バッファ１４ａ，１４ｂに格納されたデータを合成する合成部１５よりＡＶデータが出力部１８に与えられる。
【０１８６】
このように構成される受信装置１０１において、アンテナ１１ａ，１１ｂそれぞれによって放送信号を受信するとき、放送局１００より送信されるチャンネル周波数ｆａ，ｆｂそれぞれの放送信号をチューナ部１２ａ，１２ｂで選局される。そして、チューナ部１２ａで選局されたチャンネル周波数ｆａの放送信号が復調部１３ａで復調されてＴＳパケットが得られた後、パケット処理部１６ａにおいて復号化されてＥＳに変換される。又、チューナ部１２ｂで選局されたチャンネル周波数ｆｂの放送信号が復調部１３ｂで復調されてＴＳパケットが得られた後、パケット処理部１６ｂにおいて復号化されてＥＳに変換される。
【０１８７】
このようにパケット処理部１６ａ，１６ｂで復号化されて得られたＥＳはそれぞれ、復号化部１７ａ，１７ｂでＡＶデータに復号化されて、フレーム毎にバッファ１４ａ，１４ｂに格納される。そして、バッファ１４ａに格納されたフレームが順番に合成部１５に与えられる。このとき、合成部１５では、バッファ１４ａから読み出したデータをフレーム毎に正常に復号化されているか否かを確認し、正常に復号化されていないフレームをバッファ１４ｂより読み出す。このようにして、バッファ１４ｂより読み出したフレームにより、正常に復号化されていないフレームのデータを補填する。このようにして補填されたＡＶデータが出力部１８に与えられて、映像及び音声が再生出力される。
【０１８８】
１．合成部における補填動作の第１例
上述のように合成部１５において、バッファ１４ａによって読み出されたフレームのうち、正常に復号化されていないフレームが補填されるときの第１例を、図３４を参照して説明する。本例では、復号化部１７ａで復号化されて得られたＡＶデータにおけるフレームの順番が、放送局１００に対してＡＶソースより与えらえるＡＶデータのフレームの順番と同一であるものとする。よって、本例では、復号化部１７ｂで復号化されて得られたＡＶデータにおける各フレームが、復号化部１７ａで復号化されて得られたものに対して遅延して復号化される。そのため、バッファ１４ａに格納されたフレームと同一のフレームが、バッファ１４ｂでは複数フレーム分遅延されて格納される。尚、本例では、符号化部１７ａに比べて符号化部１７ｂでは、２フレーム分遅延して復号化するものとする。
【０１８９】
このとき、図３４のように、フレームＦ１，Ｆ２，Ｆ３，…の順に復号化部１７ａ，１７ｂで復号化され、バッファ１４ａにフレームＦ３が格納されると、２フレーム分遅延して得られたフレームＦ１がバッファ１４ｂに格納される。即ち、バッファ１４ａにフレームＦ１〜Ｆ３が格納されるとともに、バッファ１４ｂにフレームＦ１が格納される。そして、合成部１５において、バッファ１４ａに格納されたフレームＦ１を読み出して、フレームＦ１におけるデータが正常に復号化されたか否かを確認する。そして、図３４のようにフレームＦ１に異常が確認されたとき、バッファ１４ｂに格納されたフレームＦ１を読み出して出力部１８に送出する。尚、「○」が正常なフレームを表すとともに、「×」が正常でないフレームを表す。
【０１９０】
２．合成部における補填動作の第２例
又、バッファ１４ａによって読み出されたフレームのうち、正常に復号化されていないフレームが補填されるときの第２例を、図３５を参照して説明する。本例では、第１例とは逆に、復号化部１７ｂで復号化されて得られたＡＶデータにおけるフレームの順番が、放送局１００に対してＡＶソースより与えらえるＡＶデータのフレームの順番と同一であるものとする。よって、本例では、復号化部１７ａで復号化されて得られたＡＶデータにおける各フレームが、復号化部１７ｂで復号化されて得られたものに対して遅延して復号化される。尚、本例においても、２フレーム分の遅延であるものとする。
【０１９１】
このとき、図３５のように、フレームＦ１，Ｆ２，Ｆ３，…の順に復号化部１７ａ，１７ｂで復号化され、バッファ１４ｂにフレームＦ３が格納されるとき、２フレーム分遅延して得られたフレームＦ１がバッファ１４ａに格納される。即ち、バッファ１４ａにフレームＦ１が格納されるとともに、バッファ１４ｂにフレームＦ１〜Ｆ３が格納される。そして、合成部１５において、バッファ１４ａに格納されたフレームＦ１を読み出して、フレームＦ１におけるデータが正常に復号化されたか否かを確認する。そして、図３５のようにフレームＦ１に異常が確認されたとき、バッファ１４ｂに格納されたフレームＦ１を読み出して出力部１８に送出する。
【０１９２】
３．合成部における補填動作の第３例
又、バッファ１４ａによって読み出されたフレームのうち、正常に復号化されていないフレームが補填されるときの第３例を、図３６を参照して説明する。本例では、第１例及び第２例と異なり、合成部１５において、各フレームを構成する各ブロック毎に、ＡＶデータが正常に復号化されたか否かが確認される。又、第１例と同様、復号化部１７ａで復号化されて得られたＡＶデータにおけるフレームの順番が、放送局１００に対してＡＶソースより与えらえるＡＶデータのフレームの順番と同一であるものとする。即ち、本例において、第１例と同様、２フレームの遅延となる場合、バッファ１４ａにフレームＦ１〜Ｆ３が格納されたとき、バッファ１４ｂにフレームＦ１が格納される。
【０１９３】
そして、合成部１５によってバッファ１４ａよりフレームＦ１が読み出されると、フレームＦ１の各ブロックのＡＶデータが正常に復号化されたか否かが確認される。このとき、図３６（ａ）のようにバッファ１４ａに格納されたフレームＦ１において、正常に復号化されていないブロックが確認されると、図３６（ｂ）のように、バッファ１４ａからのフレームＦ１における異常が確認されたブロックを、図３６（ａ）のようにバッファ１４ｂに格納されたフレームＦ１より読み出す。尚、図３６において、「○」印を備えたブロックが正常に復号化されたブロックを表し、「×」印を備えたブロックが正常に復号化されていないブロックを表す。
【０１９４】
このように、合成部１５において、バッファ１４ｂに格納されたフレームＦ１より得られた正常に復号化されたブロックのＡＶデータにより、バッファ１４ａより読み出されたフレームＦ１のＡＶデータが補填される。そして、図３６（ｃ）のように、正常に復号化されたブロックにより構成されるフレームＦ１が生成され、出力部１８に与えられて、映像及び音声が再生出力される。尚、本例において、第２例のように、バッファ１４ａに格納されるＡＶデータがバッファ１４ｂに格納されるＡＶデータに比べて遅延するものとしても構わない。
【０１９５】
尚、本実施形態において、第１の実施形態と同様、異なるチャンネル周波数又は異なる通信路によって複数の放送信号が送信されるものとしたが、第５の実施形態と同様、異なる複数の放送信号を同一のチャンネル周波数を利用して時分割送信するものとしても構わない。更に、放送局１００においてＰＥＳの順番を変更してＴＳパケットが生成されることで、異なる放送信号を生成するものとしたが、送信される異なる放送信号より再生されるフレームの順番が異なるものとなるように符号化されるものであればよい。即ち、例えば、ＡＶソースから与えられるＡＶデータの順番の変更することによって、与えられたフレームの順番と異なるものとし、元の順番のフレームによる放送信号と、順番を変更したフレームによる放送信号とを生成して送信するようにしても構わない。更に、第２の実施形態と同様、中継局１０２を使用した通信システムとしても構わない。
【０１９６】
又、本実施形態において、符号化部１ａ，１ｂにおける圧縮率や圧縮方式を異なるものとしても構わない。即ち、受信装置１０１において第３例のようにブロックごとにデータの補填を行うとき、圧縮率の高い符号化方式により符号化された放送信号が復号化されて、図３７（ａ）のようなフレームＦ１となるＡＶデータがバッファ１４ａに格納されるとともに、圧縮率の低い符号化方式により符号化された放送信号が復号化されて、図３７（ｂ）のようなフレームＦｘ１となるＡＶデータがバッファ１４ｂに格納されるものとする。尚、フレームＦｘ１及びフレームＦ１はそれぞれ、同一のフレームより生成されたＴＳパケットが復号化されて得られたデータによって成る。
【０１９７】
このとき、フレームＦ１において異常「×」が確認されたブロックに対応するフレームＦｘ１のデータがバッファ１４ｂより読み出されて、異常「×」が確認されたフレームＦ１のブロックのデータが補填される。よって、フレームＦ１のデータによって補填された図３７（ｃ）のようなフレームＦｙ１が生成されて、出力部１８に与えられることにより、映像及び音声が出力される。このように、符号化されたときの圧縮率や圧縮方式が異なる場合でも、フレームを構成する画素数が同一である場合、データの変換を行うことなく、ブロック又はフレーム毎のデータの補填を行うようにしても構わない。
【０１９８】
更に、放送信号がＭＰＥＧ方式で圧縮符号化されている場合、この放送信号の異なる放送信号として、Ｉピクチャのみによるデータにより符号化されるものとしても構わない。このとき、Ｉピクチャ及びＢピクチャ及びＰピクチャ全てを備える放送信号を受信装置１０１で復号化したときに、この放送信号により得られたＩピクチャに異常が確認されると、もう一方のＩピクチャのみを備える放送信号から得られたＩピクチャにより補填する。このようにして、ＭＰＥＧ方式での復号化を行うときに基準となるＩピクチャの補填を行うことができるため、画像の乱れを押さえることができる。
【０１９９】
＜第８の実施形態＞
本発明の第８の実施形態について、図面を参照して説明する。図３８は、本実施形態における放送局の内部構成を示すブロック図であり、図３９は、本実施形態における受信装置の内部構成を示すブロック図である。尚、本実施形態では、第３及び第７の実施形態と同様、図１のような構成の放送通信システムが構成されている。
【０２００】
本実施形態の放送局１００は、図３８に示すように、図１３の構成にデータ変換部５で変換されたＡＶデータを一時的に格納するバッファ５ａを備える。このように構成されるとき、バッファ５ａには、データ変換部５でデータ量が変換されたＡＶデータがフレーム毎に格納される。よって、符号化部１ａ，１ｂそれぞれにおいて、同時に異なるフレーム又はブロックのＡＶデータが与えられるとともに、データ量の異なるＡＶデータに対するデジタルデータが生成される。
【０２０１】
そして、パケット処理部２ａ，２ｂそれぞれから、データ量が異なるとともに異なるフレーム又はブロックから成るＴＳパケットが生成されて、バッファ３ａ，３ｂに与えられる。このバッファ３ａ，３ｂそれぞれに格納された異なるＴＳパケットは、第７の実施形態と同様にして、変調処理部４ａ，４ｂそれぞれで変調処理が成されて、アンテナ１１０ａ，１１０ｂよりチャンネル周波数ｆａ，ｆｂの放送信号として送信される。尚、本実施形態では、データ変換部５において、ＨＤＴＶ用のＡＶデータがＳＤＴＶ用のＡＶデータに変換されるものとする。
【０２０２】
本実施形態の受信装置１０１は、図３９に示すように、図３３の構成に、バッファ１４ｂからのＡＶデータのデータ変換を行うデータ変換部２０ａが付加される。このとき、バッファ１４ｂからのＡＶデータがデータ変換部２０ａで変換された後、合成部１５に与えられる。このように構成される受信装置１０１は、第７の実施形態と同様にして、チャンネル周波数ｆａ，ｆｂそれぞれの放送信号を、チューナ部１２ａ，１２ｂで選局すると、復調部１３ａ，１３ｂで復調される。そして、ＨＤＴＶ用のＡＶデータによるＴＳパケットがパケット処理部１６ａ及び復号化部１７ａにおいて復号化されるとともに、ＳＤＴＶ用のＡＶデータによるＴＳパケットがパケット処理部１６ｂ及び復号化部１７ｂにおいて復号化される。
【０２０３】
そして、復号化部１７ａで復号化されたＨＤＴＶ用のＡＶデータがフレーム毎にバッファ１４ａに格納されるとともに、復号化部１７ｂで復号化されたＳＤＴＶ用のＡＶデータがフレーム毎にバッファ１４ｂに格納される。このとき、合成部１５では、バッファ１４ａから読み出したデータをフレーム毎に正常に復号化されているか否かを確認する。そして、正常に復号化されていないフレームが確認されたとき、同じフレームのデータがバッファ１４ｂより読み出されて、データ変換部２０ａでＨＤＴＶ用のＡＶデータに変換される。このデータ変換部２０ａで変換されたＨＤＴＶ用のＡＶデータが合成部１５に与えられると、正常に復号化されていないフレームのデータが補填される。このようにして補填されたＡＶデータが出力部１８に与えられて、映像及び音声が再生出力される。
【０２０４】
１．合成部における補填動作の第１例
上述のように合成部１５において、バッファ１４ａによって読み出されたフレームのうち、正常に復号化されていないフレームが補填されるときの第１例を、図４０を参照して説明する。本例では、第７の実施形態の第１例と同様、復号化部１７ａで復号化されて得られたＡＶデータにおけるフレームの順番が、放送局１００に対してＡＶソースより与えらえるＡＶデータのフレームの順番と同一であるものとする。よって、復号化部１７ｂで復号化されて得られたＡＶデータにおける各フレームが、復号化部１７ａで復号化されて得られたものに対して遅延して復号化される。尚、本例では、符号化部１７ａに比べて符号化部１７ｂでは、２フレーム分遅延して復号化するものとする。又、フレームＦｋ（ｋは自然数）のＨＤＴＶ用のＡＶデータがＳＤＴＶ用のＡＶデータに変換されたとき、フレームＦａｋのＡＶデータが得られるものとする。
【０２０５】
このとき、図４０のように、フレームＦ１，Ｆ２，Ｆ３，…の順に復号化部１７ａで復号化され、フレームＦａ１，Ｆａ２，Ｆａ３，…の順に復号化部１７ｂで復号化される。そして、バッファ１４ａにフレームＦ３が格納されると、２フレーム分遅延して得られたフレームＦａ１がバッファ１４ｂに格納される。即ち、バッファ１４ａにフレームＦ１〜Ｆ３が格納されるとともに、バッファ１４ｂにフレームＦａ１が格納される。そして、合成部１５において、バッファ１４ａに格納されたフレームＦ１を読み出して、フレームＦ１におけるデータが正常に復号化されたか否かを確認する。
【０２０６】
このとき、フレームＦ１におけるデータに異常が確認されたとき、バッファ１４ｂに格納されたフレームＦａ１が読み出されて、データ変換部２０ａでＨＤＴＶ用のＡＶデータとなるフレームＦｂ１のＡＶデータに変換される。このフレームＦｂ１のＡＶデータが合成部１５に与えられることによって、フレームＦ１がフレームＦｂ１のＡＶデータによって補填される。このように補填されたフレームＦｂ１のＡＶデータが出力部１８に与えられて、映像及び音声が出力される。尚、本例において、第７の実施形態の第２例と同様、バッファ１４ａに格納されるＡＶデータがバッファ１４ｂに格納されるＡＶデータに比べて遅延するものとしても構わない。
【０２０７】
２．合成部における補填動作の第２例
又、バッファ１４ａによって読み出されたフレームのうち、正常に復号化されていないフレームが補填されるときの第２例を、図４１を参照して説明する。本例では、第７の実施形態の第３例と同様、合成部１５において、各フレームを構成する各ブロック毎に、ＡＶデータが正常に復号化されたか否かが確認される。又、上述の第１例と同様、復号化部１７ａで復号化されて得られたＡＶデータにおけるフレームの順番が、放送局１００に対してＡＶソースより与えらえるＡＶデータのフレームの順番と同一であるものとする。即ち、本例において、第１例と同様、２フレームの遅延となる場合、バッファ１４ａにフレームＦ１〜Ｆ３が格納されたとき、バッファ１４ｂにフレームＦａ１が格納される。
【０２０８】
そして、合成部１５によって図４１（ａ）のようにバッファ１４ａに格納されたフレームＦ１が読み出されると、フレームＦ１の各ブロックのＡＶデータが正常に復号化されたか否かが確認される。このとき、バッファ１４ａより読み出したフレームＦ１において、正常に復号化されていないブロックが確認されると、図４１（ｂ）のように、データ変換部２０ａにおいて、異常が確認されたブロックに相当するブロックのデータを、図４１（ａ）のようにバッファ１４ｂに格納されたフレームＦａ１より読み出す。尚、図４１においても、図３６と同様、「×」印を備えたブロックが正常に復号化されていないブロックを表す。
【０２０９】
このように、バッファ１４ｂ内のフレームＦａ１から読み出されたブロックの各データが、図４１（ｃ）のようにデータ変換部２０ａにおいてデータ変換されて、ＨＤＴＶ用のデータｆａ１に変換される。このデータ変換部２０ａでデータ変換されて得られたデータｆａ１が合成部１５に与えられると、フレームＦ１において異常が確認されたブロックのデータに合成され、図４１（ｃ）のように異常なブロックのデータが補填されたフレームＦ１ｘが得られる。このように合成部１５で合成されたフレームＦ１ｘのＨＤＴＶ用のＡＶデータが、出力部１８に与えられることで、映像及び音声が再生出力される。尚、本例において、第７の実施形態の第２例のように、バッファ１４ａに格納されるＡＶデータがバッファ１４ｂに格納されるＡＶデータに比べて遅延するものとしても構わない。
【０２１０】
尚、本実施形態において、第３の実施形態と同様、異なるチャンネル周波数又は異なる通信路によって複数の放送信号が送信されるものとしたが、第６の実施形態と同様、異なる複数の放送信号を同一のチャンネル周波数を利用して時分割送信するものとしても構わない。又、第４又は第６の実施形態と同様、空きチャンネル又は空き帯域を確認して、複数の放送信号を送信するか否か、又は、追加送信する複数の放送信号に対するＡＶデータの符号化方式を変更するか否かを設定するようにしても構わない。更に、第２の実施形態と同様、中継局１０２を用いた通信システムとしても構わない。
【０２１１】
又、本実施形態において、２つの異なる符号化方式により符号化された放送信号を用いた例を示したが、３つ以上の異なる符号化方式により符号化された放送信号を用いるものとしても構わない。即ち、上述の第２例のように、受信装置１０１においてブロックごとにデータ変換が行われて補填されるとき、ＨＤＴＶ用のＡＶデータによるフレームＦ１が図４２（ａ）のように復号化され、ＳＤＴＶ用のＡＶデータによるフレームＦａ１が図４２（ｂ）のように復号化され、携帯電話用のＡＶデータによるフレームＦｃ１が図４２（ｃ）のように復号化されるものとする。
【０２１２】
このとき、図４２（ａ）で異常「×」が確認されたフレームＦ１内のブロックに応じた図４２（ｄ）に示すフレームＦａ１内のブロックのデータが、図４２（ｇ）のようなデータｆａ１にデータ変換される。このようにデータ変換されたデータｆａ１によって、フレームＦ１で異常が確認されたブロックが補填されることで、図４２（ｆ）のようなフレームＦ１ｘのＡＶデータが生成される。又、図４２（ｂ）で異常「×」が確認されたフレームＦａ１内のブロックに応じた図４２（ｅ）に示すフレームＦｃ１内のブロックのデータが、図４２（ｉ）のようなデータｆｃ１にデータ変換される。このようにデータ変換されたデータｆｃ１によって、フレームＦａ１で異常が確認されたブロックが補填されることで、図４２（ｈ）のようなフレームＦ１ｙのＡＶデータが生成される。
【０２１３】
又、放送局１００より送信する複数の放送信号の圧縮率や圧縮方式を異なるものとして、そのデータ量の異なる放送信号を送信するものとしても構わない。このとき、第７の実施形態における図３７の例のように、フレームの画素数を同一のものとしても構わないし、本実施形態の各例で示すＨＤＴＶ及びＳＤＴＶの関係のように、フレームの画素数を異なるものとしても構わない。
【０２１４】
又、フレームの画素数が異なるＡＶデータによって補填を行うものとするとき、その垂直方向及び水平方向の画素数の比であるアスペクト比が異なる場合、補填する領域を制限するものとしても構わない。即ち、図４３（ａ）のようなフレームＦｘのデータを、図４３（ｂ）のようなフレームＦｙのデータで補填するとき、垂直方向又は水平方向のいずれかに合わせてデータ変換する。そして、データ変換が成されたとき、図４３（ｃ）のように、フレームＦｘにおける補填する領域（図４３（ｃ）内の斜線領域）を制限するようにしても構わない。又、図４３（ｄ）のように、フレームＦｙにおけるデータ変換する領域（図４３（ｄ）内の斜線領域）を制限するようにしても構わない。
【０２１５】
＜第９の実施形態＞
本発明の第９の実施形態について、図面を参照して説明する。図４４は、本実施形態における放送通信システムの構成を示すブロック図である。尚、本実施形態において、第３、第４、第６又は第８の実施形態のように、放送局によって、同一のＡＶデータに対して符号化方式や圧縮率などを変更した異なる複数の放送信号が送信される。
【０２１６】
図４４の放送通信システムは、異なる符号化方式によって符号化された複数の放送信号を送信する放送局１００と、放送局１００から送信される放送信号を受信する受信装置１０１ａ〜１０１ｃを備える。このような放送通信システムにおいて、放送局１００からは、チャンネル周波数ｆａによってＨＤＴＶ用のＡＶデータより成る放送信号が、チャンネル周波数ｆｂによってＳＤＴＶ用のＡＶデータより成る放送信号が、チャンネル周波数ｆｃによって携帯電話用のＡＶデータより成る放送信号が、それぞれ送信されるものとする。
【０２１７】
又、受信装置１０１ａによってＨＤＴＶ用のＡＶデータより成る放送信号が受信され、受信装置１０１ｂによってＳＤＴＶ用のＡＶデータより成る放送信号が受信され、受信装置１０１ｃによって携帯電話用のＡＶデータより成る放送信号が受信される。更に、受信装置１０１ａ〜１０１ｃが有線又は無線のネットワークで接続され、相互通信可能な状態とされる。
【０２１８】
このような放送通信システムにおいて、受信装置１０１ａ〜１０１ｃは、図４５に示すように、図１４の構成におけるアンテナ１１ｂ及びチューナ部１２ｂの代わりに、他の受信装置１０１（受信装置１０１ａ〜１０１ｃに相当する）とネットワークを介して通信するインターフェース１２ｘを備えるとともに、バッファ１４ａに格納されたＴＳパケットをネットワークで他の受信装置１０１に送信するための信号に変調する変調部１３ｘを備える。
【０２１９】
このように構成される受信装置１０１ａ〜１０１ｃの動作について、受信装置１０１ａを代表して説明する。受信装置１０１ａは、アンテナ１１ａ及びチューナ部１２ａによってチャンネル周波数ｆａの放送信号を受信した後、復調部１３ａでＨＤＴＶ用のＴＳパケットを得てバッファ１４ａに格納する。そして、バッファ１４ａに格納したＨＤＴＶ用のＴＳパケットを変調部１３ｘで変調して、受信装置１０１ｂ，１０１ｃに対してネットワークを通じて送信するための信号を生成し、インターフェース１２ｘより送信する。
【０２２０】
又、受信装置１０１ｂ，１０１ｃで受信されたＳＤＴＶ用又は携帯電話用のＴＳパケットによる信号をネットワークを通じてインターフェース１２ｘで受信する。そして、復調部１３ｂで復調してＳＤＴＶ用又は携帯電話用のＴＳパケットを生成し、バッファ１４ｂに格納する。このように動作することによって、他の受信装置１０１ｂ，１０１ｃで受信された放送信号によるＴＳパケットを、バッファ１４ｂに格納することができ、合成部１５においてバッファ１４ａより読み出したＴＳパケットのデータを補填することができる。よって、バッファ１４ａ，１４ｂ後段の動作については、第３の実施形態と同様の動作を行うこととなる。
【０２２１】
このように、本実施形態によると、同一のＡＶデータに対して放送局１００で生成された他の放送信号が他の受信装置１０１で受信されたとき、この他の受信装置１０１で受信されて得られたデータをネットワークを介して受信することができる。よって、このようにネットワークを介して受信した他の受信装置１０１からのデータにより、自機器が受信した放送信号より得られたデータを補填することができる。
【０２２２】
尚、本実施形態において、第３の実施形態のように、ＴＳパケット毎の補填を行うものとしたが、フレーム毎又はブロック毎の補填を行うものとしても構わない。又、放送通信システムに中継局１０２を備えるものとし、この中継局１０２によって、同一のＡＶデータに対して生成された他の放送信号が送信されるものとしても構わない。
【０２２３】
又、第１〜第９の実施形態において、同一のデータ内容となる複数の放送信号はそれぞれに、受信装置１０１で独立して受信することが可能である。即ち、放送信号それぞれが独立した放送信号であり、１つの放送コンテンツとして送信されるものである。
【０２２４】
＜第１０の実施形態＞
本発明の第１０の実施形態について、図面を参照して説明する。図４６は、本実施形態における放送通信システムの構成を示すブロック図である。図４７は、図４６の放送通信システムにおける受信装置の構成を示すブロック図である。
【０２２５】
図４６の放送通信システムは、異なる符号化方式によって符号化された複数の放送信号を送信する放送局１００と、放送局１００から送信される放送信号を受信する受信装置１０１と、放送局１００から補填可能な放送信号の情報を受信装置１０１に送信する放送用通信路と異なる別の通信路となるインターネット１２０と、を備える。このような放送通信システムにおいて、放送局１００からは、複数のチャンネル周波数を用いて述の各実施形態で示す放送信号が、受信装置１０１に送信される。尚、本実施形態では、放送局１００より、チャンネル周波数ｆａ，ｆｂを用いることによって、補填可能な第１の実施形態と同様の放送信号が送信されるものとする。
【０２２６】
このような放送通信システムにおいて、受信装置１０１は、図４７に示すように、図３の構成にネットワークを介してインターネット１２０と接続されるインターフェース１２ｘを付加した構成となる。このような受信装置１０１は、インターフェース１２ｘによって放送局１００とインターネット１２０を通じて通信接続されるとともに、アンテナ１１ａ，１１ｂによって放送局１００から送信される放送信号を受信することができる。
【０２２７】
そして、受信装置１０１は、放送局１００から送信されるチャンネル周波数ｆａの放送信号をアンテナ１１ａで受信し、チューナ部１２ａで選局すると、制御部１９より補填可能な別の放送信号があるか否かを確認するための信号が生成され、インタフェース１２ｘ及びインターネット１２０を介して放送局１００に送信される。今、チャンネル周波数ｆａの放送信号に対して補填可能なチャンネル周波数ｆｂの放送信号が放送局１００より送信されているので、放送局１００から受信装置１０１に対して、補填可能な放送信号のチャンネル周波数がｆｂであることを示す応答信号がインターネット１２０を介して送信される。
【０２２８】
よって、受信装置１０１では、インターフェース１２ｘにより放送局１００からの応答信号を受信すると、制御部１９によってチューナ部１２ｂで選局するチャンネル周波数をｆｂに設定する。そして、受信装置１０１が、チャンネル周波数ｆｂの放送信号を、アンテナ１１ｂで受信するとともにチューナ部１２ｂで選局することによって、チャンネル周波数ｆａの放送信号を復調して得られたデータを、チャンネル周波数ｆｂの放送信号を復調して得られたデータで補填する。
【０２２９】
尚、本実施形態において、受信装置１０１が、第１の実施形態のようにして送信される放送信号を受信するものとしたが、第２〜第９の実施形態のようにして送信される放送信号を受信するような放送通信システムとしても構わない。又、受信装置１０１が放送局１００から直接応答信号を受信するものとしたが、携帯電話などの他の受信装置によって受信された応答信号を確認し、その応答信号を受信装置１０１に入力するようにしても構わない。
【０２３０】
更に、この放送局１００からの応答信号の受信を課金制とし、ユーザが料金を支払うことによって応答信号を受信することができるものとしても構わない。このように課金制としたとき、補填される放送信号と放送信号を補填するための放送信号それぞれに料金を設定するものとしても構わない。即ち、単一の放送信号のみで受信する場合と、補填可能とするために複数の放送信号を受信する場合とで、料金が異なるものとしても構わない。このようにそれぞれの料金を設定することによって、それぞれの放送信号の受信権をユーザ毎に管理する。更に、補填するための放送信号を受信装置１０１から要求するたびに課金されるものとしても構わない。
【０２３１】
又、本実施形態において、補填するための放送信号のチャンネル周波数を示す応答信号が、放送局１００より送信されるものとしたが、補填するための放送信号を暗号化するとともに、ユーザより料金が支払われたとき、この暗号化を解除するための暗号化コードが放送局１００より応答信号として送信されるものとしても構わない。又、補填される放送信号と放送信号を補填するための放送信号それぞれが同一の暗号化コードによって暗号化されるとともに、ユーザより料金が支払われたとき、この暗号化を解除するための暗号化コードが放送局１００より応答信号として送信されるものとしても構わない。このとき、応答信号に、補填するための放送信号のチャンネル周波数に関する情報も含まれる。
【０２３２】
又、このように放送信号それぞれに課金される場合において、第２の実施形態のように中継局１０２により補填するための放送信号が送信されるとき、各放送信号に課金された料金が放送局１００に対して支払われるものとしても構わない。このとき、中継局１０２からの放送信号を利用するために支払われた料金も含まれて放送局１００に支払われるため、放送局１００から中継局１０２にこの中継局１０２からの放送信号に対する料金が支払われる。又、放送局１００及び中継局１０２それぞれに、その放送信号に課金された料金を支払うようにしても構わない。
【０２３３】
＜第１１の実施形態＞
本発明の第１１の実施形態について、図面を参照して説明する。図４８は、本実施形態における受信装置の内部構成を示すブロック図である。尚、本実施形態では、第１の実施形態と同様、図１のような構成の放送通信システムが構成されているものとする。
【０２３４】
本実施形態の受信装置１０１は、図４８に示すように、図３の構成に、アンテナ１１ａ，１１ｂとチューナ部１２ａ，１２ｂとの接続を切り換えるアンテナ選択部１１ｘが付加された構成となる。このとき、アンテナ１１ａ，１１ｂは、それぞれの指向性が異なる位置に設置される。又、放送局１００からの放送信号を送信する各アンテナ１１０ａ，１１ｂ（図２参照）が設置されるため、アンテナ１１０ａ，１１０ｂそれぞれから送信されるチャンネル周波数ｆａ，ｆｂの放送信号がそれぞれ、受信装置１０１に対して異なる方向から送信されることとなる。
【０２３５】
このように受信装置１０１が構成されるとき、アンテナ選択回路１１ｘによって、アンテナ１１ａをチューナ部１２ａに接続するとともに、アンテナ１１ｂをチューナ部１２ｂに接続する。そして、チューナ部１２ａ，１２ｂそれぞれによって、チャンネル周波数ｆａ，ｆｂの放送信号が選局されるものとする。このとき、復調部１３ａ，１３ｂ又は合成部１５又は制御部１９などにおいて、受信した放送信号のビットエラー数や受信電力など受信エラーを確認することで、アンテナ１１ａ，１１ｂで受信状態を確認する。
【０２３６】
そして、アンテナ１１ａ，１１ｂそれぞれで受信されたチャンネル周波数ｆａ，ｆｂの放送信号のうちの少なくとも一方の放送信号における受信エラーの度合いが所定値よりも高く、受信状態が悪化していることを確認すると、アンテナ選択回路１１ｘによって、アンテナ１１ａ，１１ｂの接続を切り換える。即ち、アンテナ１１ａをチューナ部１２ｂに接続することで、アンテナ１１ａでチャンネル周波数ｆａの放送信号を受信し、アンテナ１１ｂをチューナ部１２ａに接続することで、アンテナ１１ｂでチャンネル周波数ｆａの放送信号を受信する。そして、受信した放送信号の受信エラーを確認し、チャンネル周波数ｆａ，ｆｂの放送信号のうち少なくとも一方の受信エラーの度合いが低くなって、その受信状態が良くなったことを確認すると、アンテナ１１ａ，１１ｂとチューナ部１２ａ，１２ｂの接続関係を固定する。
【０２３７】
このように、送信方向の異なる放送信号それぞれに対して使用するアンテナを、異なる指向性を備えた複数のアンテナから選択することができる。よって、受信装置が受信する放送信号が異なった空間を通過して受信されるとともに、エラーとなる電波障害等の原因が特定方向に限られている場合、その受信した放送信号により大きな補完効果が現れることとなる。尚、複数のアンテナとチューナ部との接続の切り換えが、ユーザによって選択されるものとしても構わない。又、このアンテナとチューナ部とを同数としたが、設置されるアンテナ数がチューナ部の数よりも多いものとし、選択可能なアンテナ数が多くなるようにしても構わない。
【０２３８】
又、本実施形態において、第１の実施形態と同様の構成の放送通信システムとしたが、第３の実施形態のように中継局を介した放送通信システムとしても構わないし、複数の放送局から同一のコンテンツを含む放送信号が送信される放送通信システムであっても構わない。更に、上述の各実施形態において、複数のチャンネル周波数を用いて補間可能な複数の放送信号を送信する放送通信システムであれば、第１及び第３の実施形態以外の実施形態における放送通信システムとしても構わない。
【０２３９】
＜第１２の実施形態＞
本発明の第１２の実施形態について、図面を参照して説明する。図４９は、本実施形態における放送通信システムの構成を示すブロック図である。図５０は、図４９の放送通信システムにおける受信装置の構成を示すブロック図である。
【０２４０】
図４９の放送通信システムは、放送信号を送信する放送局１００と、放送局１００から送信される放送信号を受信する受信装置１０１とを備える。このような放送通信システムにおいて、受信装置１０１は、放送局１００からチャンネル周波数ｆａによって送信される放送信号を受信するとともに、光ディスクや光磁気ディスクや磁気ディスクなどによる記録媒体２００からのＡＶデータを再生する。
【０２４１】
このような放送通信システムにおいて、受信装置１０１は、図５０に示すように、図１４の構成におけるアンテナ１１ｂ及びチューナ部１２ｂの代わりに、記録媒体２００からＴＳパケットを読み出す再生部１３ｙを備える。このとき、記録媒体２００には、放送信号によって送信されるＡＶデータと同一のＡＶデータを異なる符号化方式で符号化して生成された信号が記録されている。即ち、例えば、放送局１００よりＨＤＴＶ用のＡＶデータによる放送信号が送信される場合、記録媒体２００にＳＤＴＶ用のＡＶデータによる信号が記録される。
【０２４２】
このように構成される受信装置１０１は、アンテナ１１ａ及びチューナ部１２ａによってチャンネル周波数ｆａの放送信号を受信するとともに、記録媒体２００に記録された信号を再生部１３ｙで読み出す。そして、チューナ部１２ａで受信された放送信号が復調部１３ａで復調されることによって得られたＴＳパケットがバッファ１４ａに格納されるとともに、再生部１３ｙで読み出された後に復号化されて得られたＴＳパケットがバッファ１４ｂに格納される。このように、本実施形態によると、受信装置１０１では、受信した放送局１００からの放送信号と同一のＡＶデータによる信号が記録媒体２００より読み出される。よって、このように記録媒体２００より読み出して得られたデータにより、自機器が受信した放送信号より得られたデータを補填することができる。
【０２４３】
尚、本実施形態において、第３の実施形態のように、ＴＳパケット毎の補填を行うものとしたが、フレーム毎又はブロック毎の補填を行うものとしても構わない。又、記録媒体２００に記録される信号によるＡＶデータが、コンテンツ全体のＡＶデータの一部であるとともに、放送局１００から送信される放送信号によるＡＶデータが、コンテンツ全体のＡＶデータの残りの一部であるものとしても構わない。このとき、記録媒体２００に記録される信号によるＡＶデータと放送局１００から送信される放送信号によるＡＶデータとが合成されることによって、コンテンツ全体が受信装置１０１で再生される。
【０２４４】
更に、ＡＶデータがＭＰＥＧ方式で圧縮符号化されているとき、記録媒体２００より読み出されるＡＶデータがＩピクチャのみであり、放送信号として受信されて得られるＡＶデータがＰピクチャ及びＢピクチャであるものとしても構わない。このように、記録媒体２００より読み出されたＡＶデータと放送信号から得られたＡＶデータとを合成することで、再生可能なＡＶデータが得られるものとしても構わない。
【０２４５】
又、放送局１００から送信される放送信号に暗号化コードを備えるとともに、記録媒体２００に解除コードを備えるものとして、記録媒体２００による解除コードによって放送局１００から送信される放送信号の暗号化が解除されるものとしても構わない。更に、この暗号化コードの代わりに、放送局１００から送信される放送信号にエラーを放送局１００側で人工的に与えるようにしても構わない。このように、同一のＡＶデータを格納した記録媒体２００を再生しなければ正常に視聴ができないようにしても構わない。
【産業上の利用可能性】
【０２４６】
本発明の通信システムは、地上波テレビ放送や衛星テレビ放送やケーブルテレビ放送などの放送通信システムや、ＬＡＮやインターネットを利用したネットワーク配信などの通信システムなどにおいて適用可能である。
【図面の簡単な説明】
【０２４７】
【図１】は、本発明の各実施形態における放送通信システムの構成の一例を示すブロック図である。
【図２】は、第１の実施形態における放送局の内部構成を示すブロック図である。
【図３】は、第１の実施形態における受信装置の内部構成を示すブロック図である。
【図４】は、第１の実施形態の放送通信システムを構成する放送局及び受信装置におけるパケットの処理動作の一例を示すためのタイミングチャートである。
【図５】は、第１の実施形態の放送通信システムを構成する放送局及び受信装置におけるパケットの処理動作の別の例を示すためのタイミングチャートである。
【図６】は、第１の実施形態の放送通信システムを構成する放送局及び受信装置におけるパケットの処理動作の別の例を示すためのタイミングチャートである。
【図７】は、第１の実施形態の放送通信システムを構成する放送局及び受信装置におけるパケットの処理動作の別の例を示すためのタイミングチャートである。
【図８】は、第１の実施形態の放送通信システムを構成する放送局及び受信装置におけるパケットの処理動作の別の例を示すためのタイミングチャートである。
【図９】は、本発明の各実施形態における放送通信システムの構成の別の例を示すブロック図である。
【図１０】は、本発明の第２の実施形態における放送通信システムの構成の一例を示すブロック図である。
【図１１】は、第２の実施形態における中継局の内部構成を示すブロック図である。
【図１２】は、本発明の第２の実施形態における放送通信システムの構成の別の例を示すブロック図である。
【図１３】は、第３の実施形態における放送局の内部構成を示すブロック図である。
【図１４】は、第３の実施形態における受信装置の内部構成を示すブロック図である。
【図１５】は、第３の実施形態の放送通信システムを構成する放送局及び受信装置におけるパケットの処理動作の一例を示すためのタイミングチャートである。
【図１６】は、第３の実施形態の放送通信システムを構成する放送局及び受信装置におけるパケットの処理動作の別の例を示すためのタイミングチャートである。
【図１７】は、第３の実施形態における中継局の内部構成を示すブロック図である。
【図１８】は、第４の実施形態における放送局の内部構成を示すブロック図である。
【図１９】は、図１８の放送局における放送信号の送信動作を示すフローチャートである。
【図２０】は、第４の実施形態における受信装置の内部構成を示すブロック図である。
【図２１】は、図２０の受信装置における放送信号の受信動作を示すフローチャートである。
【図２２】は、本発明の第５の実施形態における放送通信システムの構成の別の例を示すブロック図である。
【図２３】は、第５の実施形態における放送局の内部構成を示すブロック図である。
【図２４】は、第５の実施形態における受信装置の内部構成を示すブロック図である。
【図２５】は、第５の実施形態の放送通信システムを構成する放送局及び受信装置におけるパケットの処理動作の一例を示すためのタイミングチャートである。
【図２６】は、第５の実施形態の放送通信システムを構成する放送局及び受信装置におけるパケットの処理動作の別の例を示すためのタイミングチャートである。
【図２７】は、第６の実施形態における放送局の内部構成を示すブロック図である。
【図２８】は、図２７の放送局における放送信号の送信動作を示すフローチャートである。
【図２９】は、第６の実施形態の放送通信システムを構成する放送局及び受信装置におけるパケットの処理動作の一例を示すためのタイミングチャートである。
【図３０】は、第６の実施形態における受信装置の内部構成を示すブロック図である。
【図３１】は、図３０の受信装置における放送信号の受信動作を示すフローチャートである。
【図３２】は、第７の実施形態における放送局の内部構成を示すブロック図である。
【図３３】は、第７の実施形態における受信装置の内部構成を示すブロック図である。
【図３４】は、図３３の受信装置における処理動作の一例を示すための図である。
【図３５】は、図３３の受信装置における処理動作の別の例を示すための図である。
【図３６】は、図３３の受信装置における処理動作の別の例を示すための図である。
【図３７】は、図３３の受信装置における処理動作の別の例を示すための図である。
【図３８】は、第８の実施形態における放送局の内部構成を示すブロック図である。
【図３９】は、第８の実施形態における受信装置の内部構成を示すブロック図である。
【図４０】は、図３９の受信装置における処理動作の一例を示すための図である。
【図４１】は、図３９の受信装置における処理動作の別の例を示すための図である。
【図４２】は、図３９の受信装置における処理動作の別の例を示すための図である。
【図４３】は、図３９の受信装置において異なるアスペクト比のフレームによる合成するときに行う領域制限を示すための図である。
【図４４】は、本発明の第９の実施形態における放送通信システムの構成の別の例を示すブロック図である。
【図４５】は、第９の実施形態における受信装置の内部構成を示すブロック図である。
【図４６】は、本発明の第１０の実施形態における放送通信システムの構成の別の例を示すブロック図である。
【図４７】は、第１０の実施形態における受信装置の内部構成を示すブロック図である。
【図４８】は、第１１の実施形態における受信装置の内部構成を示すブロック図である。
【図４９】は、本発明の第１２の実施形態における放送通信システムの構成の別の例を示すブロック図である。
【図５０】は、第１２の実施形態における受信装置の内部構成を示すブロック図である。
【符号の説明】
【０２４８】
１，１ａ，１ｂ    符号化部
２，２ａ，２ｂ    パケット処理部
３，３ａ，３ｂ    バッファ
４ａ，４ｂ    変調処理部
５    データ変換部
６    制御部
１１ａ，１１ｂ    アンテナ
１２ａ，１２ｂ    チューナ部
１３ａ，１３ｂ    復調部
１４ａ，１４ｂ    バッファ
１５    合成部
１６，１６ａ，１６ｂ    パケット処理部
１７，１７ａ，１７ｂ    復号化部
１８    出力部
１９    制御部
２０    データ変換部
１００    放送局
１０１    受信装置
１０２    中継局
１１０，１１０ａ，１１０ｂ    アンテナ
【図１】
2005252919.tif 000003
【図２】
2005252919.tif 000004
【図３】
2005252919.tif 000005
【図４】
2005252919.tif 000006
【図５】
2005252919.tif 000007
【図６】
2005252919.tif 000008
【図７】
2005252919.tif 000009
【図８】
2005252919.tif 000010
【図９】
2005252919.tif 000011
【図１０】
2005252919.tif 000012
【図１１】
2005252919.tif 000013
【図１２】
2005252919.tif 000014
【図１３】
2005252919.tif 000015
【図１４】
2005252919.tif 000016
【図１５】
2005252919.tif 000017
【図１６】
2005252919.tif 000018
【図１７】
2005252919.tif 000019
【図１８】
2005252919.tif 000020
【図１９】
2005252919.tif 000021
【図２０】
2005252919.tif 000022
【図２１】
2005252919.tif 000023
【図２２】
2005252919.tif 000024
【図２３】
2005252919.tif 000025
【図２４】
2005252919.tif 000026
【図２５】
2005252919.tif 000027
【図２６】
2005252919.tif 000028
【図２７】
2005252919.tif 000029
【図２８】
2005252919.tif 000030
【図２９】
2005252919.tif 000031
【図３０】
2005252919.tif 000032
【図３１】
2005252919.tif 000033
【図３２】
2005252919.tif 000034
【図３３】
2005252919.tif 000035
【図３４】
2005252919.tif 000036
【図３５】
2005252919.tif 000037
【図３６】
2005252919.tif 000038
【図３７】
2005252919.tif 000039
【図３８】
2005252919.tif 000040
【図３９】
2005252919.tif 000041
【図４０】
2005252919.tif 000042
【図４１】
2005252919.tif 000043
【図４２】
2005252919.tif 000044
【図４３】
2005252919.tif 000045
【図４４】
2005252919.tif 000046
【図４５】
2005252919.tif 000047
【図４６】
2005252919.tif 000048
【図４７】
2005252919.tif 000049
【図４８】
2005252919.tif 000050
【図４９】
2005252919.tif 000051
【図５０】
2005252919.tif 000052